(57)【要約】  本開示は、ディスプレイ要素のアレイの1つまたは複数のコモンライン上のディスプレイ要素にデータを書き込むためのライン時間を決定するための、コンピュータ記憶媒体上に符号化されたコンピュータプログラムを含む、システム、方法、および装置を提供する。一態様では、ディスプレイ要素のラインにデータを書き込むために、ライン時間が、ディスプレイ要素のラインに書き込まれるべき受信された画像データに基づいて決定されることである。
2014531057.tif 000002
【特許請求の範囲】
【請求項１】
ディスプレイ要素のアレイに接続された複数のコモンラインと複数のセグメントラインとを含むディスプレイを駆動するための装置であって、
前記ディスプレイ要素のアレイに書き込まれるべき画像データのフレームの一部として、前記アレイの1つまたは複数のコモンラインのための画像データを受信するように構成されたコントローラであって、前記アレイの前記1つまたは複数のコモンラインのうちの少なくとも第1のものに沿ったディスプレイ要素に、前記画像データの少なくとも一部を書き込むためのライン時間を決定するように構成され、前記決定することは、
前記画像データの前記少なくとも一部によって定義された、前記1つまたは複数のコモンラインのうちの前記少なくとも第1のものに沿った前記ディスプレイ要素中で引き起こされるべき書込み作動状態と、
前記1つまたは複数のコモンラインに前記画像データを書き込むように動作可能な一連の状態に、前記セグメントラインを入れるために起こることになる、セグメントライン遷移の少なくとも一部の特性と
のうちの一方または両方に少なくとも部分的に基づく、コントローラと、
前記決定されたライン時間で、前記1つまたは複数のコモンラインのうちの前記少なくとも1つに沿ったディスプレイ要素に、前記画像データの前記少なくとも一部を書き込むように、前記ディスプレイ要素のアレイを駆動するように構成された、コモンドライバとセグメントドライバとを備える装置。
【請求項２】
前記装置が、少なくとも1つの前に書き込まれたコモンラインのための画像データを記憶するように構成されたメモリをさらに備え、前記コントローラが、前記画像データを、前記少なくとも1つの前に書き込まれたコモンラインのための前記画像データと比較するように構成され、前記コントローラが、前記1つまたは複数のコモンラインのうちの前記少なくとも1つに沿った前記ディスプレイ要素に、前記画像データを書き込むように動作可能な状態に、前記セグメントラインを入れるために起こることになる、前記セグメントライン遷移の特性を、前記画像データ比較に少なくとも部分的に基づいて決定するように構成される、請求項1に記載の装置。
【請求項３】
前記装置が、ディスプレイ要素の直後のラインに対応する画像データを記憶するように構成されたメモリをさらに備え、前記コントローラが、前記1つまたは複数のコモンラインのうちの前記少なくとも1つのための前記画像データを、前記ディスプレイ要素の直後のラインに対応する前記画像データと比較して、前記ライン時間を少なくとも部分的に決定するように構成される、請求項1に記載の装置。
【請求項４】
前記コントローラが、前記画像データを書き込むときに使用されるべき波形の極性を、前記少なくとも1つの前に書き込まれたコモンラインに書き込むために使用された前記波形の前記極性と比較するように構成され、前記コントローラが、前記1つまたは複数のコモンラインのうちの前記少なくとも1つに沿った前記ディスプレイ要素に、前記画像データを書き込むように動作可能な状態に、前記セグメントラインを入れるために起こることになる、前記セグメントライン遷移の特性を、前記極性比較に少なくとも部分的に基づいて、少なくとも部分的に決定するように構成される、請求項2に記載の装置。
【請求項５】
前記ライン時間が、フロントポーチ持続時間と、バックポーチ持続時間と、書込みパルス持続時間とを含む、請求項1に記載の装置。
【請求項６】
前記コントローラが、前記フロントポーチ持続時間および前記バックポーチ持続時間のうちの少なくとも1つを、前記セグメントライン遷移の少なくとも一部の前記特性に少なくとも部分的に基づいて決定するように構成される、請求項5に記載の装置。
【請求項７】
前記コントローラが、前記書込みパルス持続時間を、前記受信された画像データを書き込むときに非作動状態から作動状態へ遷移されるべきである、前記1つまたは複数のコモンラインのうちの前記少なくとも第1のものの上のディスプレイ要素の数に少なくとも部分的に基づいて決定するように構成される、請求項5に記載の装置。
【請求項８】
前記コモンドライバが、前記1つまたは複数のコモンラインのうちの前記少なくとも第1のものにクリアリングパルスを印加して、前記1つまたは複数のコモンラインのうちの前記少なくとも第1のものに沿った前記ディスプレイ要素を、前記非作動状態へ遷移させるように構成される、請求項7に記載の装置。
【請求項９】
前記コントローラが、前記ライン時間を、前記ディスプレイ要素の色に少なくとも部分的に基づいて決定するように構成される、請求項1に記載の装置。
【請求項１０】
前記コントローラが、前記ライン時間を、セグメントライン遷移エッジの鋭さに少なくとも部分的に基づいて決定するように構成される、請求項1に記載の装置。
【請求項１１】
前記コントローラが、第1のコモンラインに沿ったディスプレイ要素にデータを書き込むための第1のライン時間を決定するように構成され、前記セグメントドライバおよび前記コモンドライバが、前記第1のライン時間を使用して、前記第1のコモンラインに沿ったディスプレイ要素にデータを書き込むように構成され、前記コントローラが、第2のコモンラインに沿ったディスプレイ要素にデータを書き込むための、前記第1のライン時間とは異なる第2のライン時間を決定するように構成され、前記セグメントドライバおよび前記コモンドライバが、前記第2のライン時間を使用して、前記第2のコモンラインに沿ったディスプレイ要素にデータを書き込むように構成される、請求項1に記載の装置。
【請求項１２】
前記ディスプレイと通信するように構成され、画像データを処理するように構成されたプロセッサと、
前記プロセッサと通信するように構成されたメモリデバイスと
をさらに備える、請求項1に記載の装置。
【請求項１３】
前記プロセッサに前記画像データを送るように構成された画像ソースモジュールをさらに備える、請求項12に記載の装置。
【請求項１４】
前記画像ソースモジュールが、受信機、トランシーバ、および送信機のうちの少なくとも1つを含む、請求項13に記載の装置。
【請求項１５】
入力データを受信し、前記入力データを前記プロセッサに通信するように構成された入力デバイス
をさらに備える、請求項12に記載の装置。
【請求項１６】
前記コントローラが、前記アレイの前記1つまたは複数のコモンラインに沿ったディスプレイ要素に現在の画像データを書き込むための前記ライン時間を、前記1つまたは複数のコモンラインに沿った前記ディスプレイ要素の前記書込み作動状態に基づいて決定するように構成される、請求項1に記載の装置。
【請求項１７】
前記コントローラが、前記アレイの前記1つまたは複数のコモンラインに沿ったディスプレイ要素に現在の画像データを書き込むための前記ライン時間を、前記1つまたは複数のコモンラインに沿った前記ディスプレイ要素に前記現在の画像データを書き込むためのセグメントライン遷移の特性に基づいて決定するように構成される、請求項1に記載の装置。
【請求項１８】
前記コントローラが、前記アレイの前記1つまたは複数のコモンラインに沿ったディスプレイ要素に現在の画像データを書き込むための前記ライン時間を、前記1つまたは複数のコモンラインに沿った前記ディスプレイ要素の前記書込み作動状態に基づいて、かつ、前記1つまたは複数のコモンラインに沿った前記ディスプレイ要素に前記現在の画像データを書き込むためのセグメントライン遷移の特性に基づいて決定するように構成される、請求項1に記載の装置。
【請求項１９】
ディスプレイ要素のアレイに接続された複数のコモンラインと複数のセグメントラインとを含むディスプレイを駆動するための方法であって、
1つまたは複数のコモンラインのための画像データを含む、画像データを受信するステップと、
1つまたは複数のコモンラインに前記画像データを書き込むためのライン時間を、
1つまたは複数のコモンラインに沿ったディスプレイ要素の書込み作動状態と、
前記1つまたは複数のコモンラインに沿った前記ディスプレイ要素に前記画像データを書き込むことにおける、少なくとも一部のセグメントライン遷移の特性と
のうちの一方または両方に少なくとも部分的に基づいて決定するステップと、
前記決定されたライン時間で、前記1つまたは複数のコモンラインに沿ったディスプレイ要素に前記画像データを書き込むステップと
を含む方法。
【請求項２０】
前に受信された画像データを記憶するステップと、前記受信された画像データを、前記前に受信された画像データと比較して、前記ライン時間を少なくとも部分的に決定するステップとをさらに含む、請求項19に記載の方法。
【請求項２１】
ディスプレイ要素の直後のラインに対応する画像データを記憶するステップと、前記受信された画像データを、前記ディスプレイ要素の直後のラインに対応する前記画像データと比較して、前記ライン時間を決定するステップとをさらに含む、請求項19に記載の方法。
【請求項２２】
前記ライン時間を、前記コモンラインに印加される波形の極性に少なくとも部分的に基づいて決定するステップを含む、請求項19に記載の方法。
【請求項２３】
前記ライン時間が、フロントポーチ持続時間と、バックポーチ持続時間と、前記書込みパルス持続時間とを含み、ライン時間を決定するステップが、前記フロントポーチ持続時間および前記バックポーチ持続時間のうちの少なくとも1つを、前記画像データを1つまたは複数のコモンラインに書き込むときに引き起こされるセグメントライン遷移の特性に少なくとも部分的に基づいて決定するステップを含む、請求項19に記載の方法。
【請求項２４】
前記ライン時間が、フロントポーチ持続時間と、バックポーチ持続時間と、書込みパルス持続時間とを含み、ライン時間を決定するステップが、前記書込みパルス持続時間を、前記受信された画像データを書き込むときに非作動状態から作動状態へ遷移されるべきである、コモンラインに沿ったディスプレイ要素の数に基づいて決定するステップを含む、請求項19に記載の方法。
【請求項２５】
前記ライン時間を決定するステップが、前記アレイの前記1つまたは複数のコモンラインに沿ったディスプレイ要素に現在の画像データを書き込むための前記ライン時間を、前記1つまたは複数のコモンラインに沿った前記ディスプレイ要素の前記書込み作動状態に基づいて決定するステップを含む、請求項19に記載の方法。
【請求項２６】
前記ライン時間を決定するステップが、前記アレイの前記1つまたは複数のコモンラインに沿ったディスプレイ要素に現在の画像データを書き込むための前記ライン時間を、前記1つまたは複数のコモンラインに沿った前記ディスプレイ要素に前記現在の画像データを書き込むためのセグメントライン遷移の特性に基づいて決定するステップを含む、請求項19に記載の方法。
【請求項２７】
前記ライン時間を決定するステップが、前記アレイの前記1つまたは複数のコモンラインに沿ったディスプレイ要素に現在の画像データを書き込むための前記ライン時間を、前記1つまたは複数のコモンラインに沿った前記ディスプレイ要素の前記書込み作動状態に基づいて、かつ、前記1つまたは複数のコモンラインに沿った前記ディスプレイ要素に前記現在の画像データを書き込むためのセグメントライン遷移の特性に基づいて決定するステップを含む、請求項19に記載の方法。
【請求項２８】
ディスプレイ要素のアレイに接続された複数のコモンラインと複数のセグメントラインとを含むディスプレイを駆動するための装置であって、
1つまたは複数のコモンラインのための画像データを含む、画像データを受信するための手段と、
1つまたは複数のコモンラインに前記画像データを書き込むためのライン時間を、
1つまたは複数のコモンラインに沿ったディスプレイ要素の書込み作動状態と、
前記1つまたは複数のコモンラインに沿った前記ディスプレイ要素に前記画像データを書き込むことにおける、少なくとも一部のセグメントライン遷移の特性と
のうちの一方または両方に少なくとも部分的に基づいて決定するための手段と、
前記決定されたライン時間で、1つまたは複数のコモンラインに沿ったディスプレイ要素に前記画像データを書き込むための手段と
を備える装置。
【請求項２９】
前記画像データを受信するための手段が、プロセッサを含み、前記ライン時間を決定するための手段が、ドライバコントローラを含み、前記画像データを書き込むための前記手段が、セグメントドライバとコモンドライバとを含むアレイドライバを含む、請求項28に記載の装置。
【請求項３０】
前に受信された画像データを記憶するための手段をさらに備え、前記ライン時間を決定するための手段が、前記受信された画像データを、前記前に受信された画像データと比較して、前記ライン時間を決定するための手段を含む、請求項28に記載の装置。
【請求項３１】
ディスプレイ要素の直後のラインに対応する画像データを記憶するための手段と、前記受信された画像データを、前記ディスプレイ要素の直後のラインに対応する前記画像データと比較して、前記ライン時間を決定するための手段とをさらに備える、請求項28に記載の装置。
【請求項３２】
前記ライン時間が、フロントポーチ持続時間と、バックポーチ持続時間と、前記書込みパルス持続時間とを含み、前記ライン時間を決定するための手段が、前記フロントポーチ持続時間および前記バックポーチ持続時間のうちの少なくとも1つを、前記画像データを1つまたは複数のコモンラインに書き込むときに引き起こされるセグメントライン遷移の特性に少なくとも部分的に基づいて決定するための手段を含む、請求項28に記載の装置。
【請求項３３】
前記ライン時間が、フロントポーチ持続時間と、バックポーチ持続時間と、書込みパルス持続時間とを含み、前記ライン時間を決定するための手段が、前記書込みパルス持続時間を、前記受信された画像データを書き込むときに非作動状態から作動状態へ遷移されるべきである、1つまたは複数のコモンラインに沿ったディスプレイ要素の数に基づいて決定するための手段を含む、請求項28に記載の装置。
【請求項３４】
ディスプレイ要素のアレイに接続された複数のコモンラインと複数のセグメントラインとを含むディスプレイを駆動するように構成されたプログラムのためのデータを処理するためのコンピュータプログラム製品であって、
処理回路に、
1つまたは複数のコモンラインのための画像データを含む、画像データを受信すること、
前記1つまたは複数のコモンラインのためのライン時間を、1つまたは複数のコモンラインに沿ったディスプレイ要素の書込み作動状態と、前記1つまたは複数のコモンラインに沿った前記ディスプレイ要素に前記画像データを書き込むことにおける、少なくとも一部のセグメントライン遷移の特性とのうちの、一方または両方に少なくとも部分的に基づいて決定すること、および
前記決定されたライン時間で、1つまたは複数のコモンラインに沿ったディスプレイ要素に前記画像データを書き込むこと
を行わせるためのコードを記憶した非一時的コンピュータ可読媒体を備えるコンピュータプログラム製品。
【請求項３５】
前に受信された画像データを記憶することを、処理回路に行わせるためのコードと、前記受信された画像データを、前記前に受信された画像データと比較して、前記ライン時間を少なくとも部分的に決定することを、処理回路に行わせるためのコードとをさらに備える、請求項34に記載のコンピュータプログラム製品。
【請求項３６】
ディスプレイ要素の直後のラインに対応する画像データを記憶することを、処理回路に行わせるためのコードと、前記受信された画像データを、前記ディスプレイ要素の直後のラインに対応する前記画像データと比較して、前記ライン時間を少なくとも部分的に決定することを、処理回路に行わせるためのコードとをさらに備える、請求項34に記載のコンピュータプログラム製品。
【請求項３７】
前記ライン時間を、前記コモンラインに印加される波形の極性に基づいて少なくとも部分的に決定することを、処理回路に行わせるためのコードをさらに備える、請求項34に記載のコンピュータプログラム製品。
【請求項３８】
前記ライン時間が、フロントポーチ持続時間と、バックポーチ持続時間と、前記書込みパルス持続時間とを含み、前記コンピュータプログラム製品が、前記フロントポーチ持続時間および前記バックポーチ持続時間のうちの少なくとも1つを、前記画像データを1つまたは複数のコモンラインに書き込むときに引き起こされる少なくとも一部のセグメントライン遷移の特性に少なくとも部分的に基づいて決定することを処理回路に行わせるためのコードをさらに備える、請求項34に記載のコンピュータプログラム製品。
【請求項３９】
前記ライン時間が、フロントポーチ持続時間と、バックポーチ持続時間と、書込みパルス持続時間とを含み、前記コンピュータプログラム製品が、前記書込みパルス持続時間を、前記受信された画像データを書き込むときに非作動状態から作動状態へ遷移されるべきである、コモンラインに沿ったディスプレイ要素の数に少なくとも部分的に基づいて決定することを、処理回路に行わせるためのコードをさらに備える、請求項34に記載のコンピュータプログラム製品。
【発明の詳細な説明】
【技術分野】
【０００１】
本開示は、電気機械ディスプレイへのデータの書込みにおける書込み波形時間調節のための方法およびシステムに関する。
【背景技術】
【０００２】
電気機械システムは、電気的および機械的要素と、アクチュエータと、トランスデューサと、センサーと、光学的構成要素(たとえば、ミラー)と、電子回路とを有するデバイスを含む。電気機械システムは、限定はしないが、マイクロスケールおよびナノスケールを含む、様々なスケールで製造され得る。たとえば、マイクロ電気機械システム(MEMS:microelectromechanical  system)デバイスは、約1ミクロンから数百ミクロン以上に及ぶサイズを有する構造を含むことができる。ナノ電気機械システム(NEMS:nanoelectromechanical  system)デバイスは、たとえば、数百ナノメートルよりも小さいサイズを含む、1ミクロンよりも小さいサイズを有する構造を含むことができる。電気および電気機械デバイスを形成するために、堆積、エッチング、リソグラフィを使用して、ならびに/あるいは、基板および/または堆積された材料層の部分をエッチング除去するかまたは層を追加する、他の微細加工プロセスを使用して、電気機械要素が作成され得る。
【０００３】
1つのタイプの電気機械システムデバイスは干渉変調器(IMOD:interferometric  modulator)と呼ばれる。本明細書で使用する干渉変調器または干渉光変調器という用語は、光学干渉の原理を使用して光を選択的に吸収および/または反射するデバイスを指す。いくつかの実施態様では、干渉変調器は伝導性プレートのペアを含み得、そのペアの一方または両方は、全体的にまたは部分的に、透明でおよび/または反射性であり、適切な電気信号の印加時の相対運動が可能であり得る。一実施態様では、一方のプレートは、基板上に堆積された固定層を含み得、他方のプレートは、エアギャップによって固定層から分離された反射膜を含み得る。別のプレートに対するあるプレートの位置は、干渉変調器に入射する光の光学干渉を変化させることがある。干渉変調器デバイスは、広範囲の適用例を有しており、特にディスプレイ能力がある製品の場合、既存の製品を改善し、新しい製品を作成する際に使用されることが予期される。
【０００４】
干渉変調器は、ディスプレイ要素のラインにデータを書き込むアレイドライバ回路によって駆動され得る。一般に、ディスプレイ、たとえば、パッシブマトリックスディスプレイのリフレッシュレートは、ディスプレイの各ラインにデータを書き込むための書込み波形ライン時間に関係する。書込み波形ライン時間が増加すると、画像が更新され得る速度が低下する。したがって、データをディスプレイに書き込むために必要とされるライン時間を低減することが望ましい。
【発明の概要】
【課題を解決するための手段】
【０００５】
本開示のシステム、方法およびデバイスは、それぞれいくつかの発明的態様を有し、それらのうちの単一の態様だけが、本明細書で開示する望ましい属性に関与するとは限らない。
【０００６】
本開示で説明する主題の1つの発明的態様は、ディスプレイ要素のアレイに接続された複数のコモンラインと複数のセグメントラインとを含むディスプレイを駆動するための装置において実施され得る。この装置は、ディスプレイ要素のアレイに書き込まれるべき画像データのフレームの一部として、アレイの1つまたは複数のコモンラインのための画像データを受信するように構成されたコントローラであって、アレイの1つまたは複数のコモンラインのうちの少なくとも第1のものに沿ったディスプレイ要素に、画像データの少なくとも一部を書き込むためのライン時間を決定するように構成され、決定することは、画像データの少なくとも一部によって定義された、1つまたは複数のコモンラインのうちの少なくとも第1のものに沿ったディスプレイ要素中で引き起こされるべき書込み作動状態と、1つまたは複数のコモンラインに画像データを書き込むように動作可能な一連の状態に、セグメントラインを入れるために起こることになる、セグメントライン遷移の少なくとも一部の特性とのうちの、一方または両方に少なくとも部分的に基づく、コントローラを含む。この装置はまた、決定されたライン時間で、1つまたは複数のコモンラインのうちの少なくとも1つに沿ったディスプレイ要素に、画像データの少なくとも一部を書き込むように、ディスプレイ要素のアレイを駆動するように構成された、コモンドライバとセグメントドライバとを含む。
【０００７】
本開示で説明する主題の別の発明的態様は、ディスプレイ要素のアレイに接続された複数のコモンラインと複数のセグメントラインとを含むディスプレイを駆動するための方法において実施され得る。この方法は、1つまたは複数のコモンラインのための画像データを含む、画像データを受信するステップと、1つまたは複数のコモンラインに画像データを書き込むためのライン時間を、1つまたは複数のコモンラインに沿ったディスプレイ要素の書込み作動状態と、1つまたは複数のコモンラインに沿ったディスプレイ要素に画像データを書き込むことにおける、少なくとも一部のセグメントライン遷移の特性とのうちの、一方または両方に少なくとも部分的に基づいて決定するステップとを含む。この方法はまた、決定されたライン時間で、1つまたは複数のコモンラインに沿ったディスプレイ要素に画像データを書き込むステップをも含む。
【０００８】
本開示で説明する主題の別の発明的態様は、ディスプレイ要素のアレイに接続された複数のコモンラインと複数のセグメントラインとを含むディスプレイを駆動するための装置において実施され得る。この装置は、1つまたは複数のコモンラインのための画像データを含む、画像データを受信するための手段と、1つまたは複数のコモンラインに画像データを書き込むためのライン時間を、1つまたは複数のコモンラインに沿ったディスプレイ要素の書込み作動状態と、1つまたは複数のコモンラインに沿ったディスプレイ要素に画像データを書き込むことにおける、少なくとも一部のセグメントライン遷移の特性とのうちの、一方または両方に少なくとも部分的に基づいて決定するための手段とを含む。この装置はまた、決定されたライン時間で、1つまたは複数のコモンラインに沿ったディスプレイ要素に画像データを書き込むための手段をも含む。
【０００９】
本開示で説明する主題の別の発明的態様は、ディスプレイ要素のアレイに接続された複数のコモンラインと複数のセグメントラインとを含むディスプレイを駆動するように構成されたプログラムのためのデータを処理するためのコンピュータプログラム製品において実施され得る。このコンピュータプログラム製品は、1つまたは複数のコモンラインのための画像データを含む、画像データを受信すること、1つまたは複数のコモンラインのためのライン時間を、1つまたは複数のコモンラインに沿ったディスプレイ要素の書込み作動状態と、1つまたは複数のコモンラインに沿ったディスプレイ要素に画像データを書き込むことにおける、少なくとも一部のセグメントライン遷移の特性とのうちの、一方または両方に少なくとも部分的に基づいて決定すること、および、決定されたライン時間で、1つまたは複数のコモンラインに沿ったディスプレイ要素に画像データを書き込むことを、処理回路に行わせるためのコードを記憶した非一時的コンピュータ可読媒体を含む。
【００１０】
本明細書で説明する主題の1つまたは複数の実施態様の詳細が、添付の図面および以下の説明において示されている。他の特徴、態様、および利点は、説明、図面、および特許請求の範囲から明らかになるであろう。以下の図の相対寸法は一定の縮尺で描かれていないことがあることに留意されたい。
【図面の簡単な説明】
【００１１】
【図１】干渉変調器(IMOD)ディスプレイデバイスの一連のピクセル中の2つの隣接ピクセルを示す等角図の一例を示す図である。
【図２】3×3干渉変調器ディスプレイを組み込んだ電子デバイスを示すシステムブロック図の一例を示す図である。
【図３】図1の干渉変調器についての可動反射層位置対印加電圧を示す図の一例を示す図である。
【図４】様々なコモン電圧およびセグメント電圧が印加されたときの干渉変調器の様々な状態を示す表の一例を示す図である。
【図５Ａ】図2の3×3干渉変調器ディスプレイにおけるディスプレイデータのフレームを示す図の一例を示す図である。
【図５Ｂ】図5Aに示すディスプレイデータのフレームを書き込むために使用され得るコモン信号およびセグメント信号についてのタイミング図の一例を示す図である。
【図６Ａ】図1の干渉変調器ディスプレイの部分断面図の一例を示す図である。
【図６Ｂ】干渉変調器の異なる実施態様の断面図の一例を示す図である。
【図６Ｃ】干渉変調器の異なる実施態様の断面図の一例を示す図である。
【図６Ｄ】干渉変調器の異なる実施態様の断面図の一例を示す図である。
【図６Ｅ】干渉変調器の異なる実施態様の断面図の一例を示す図である。
【図７】干渉変調器のための製造プロセスを示す流れ図の一例を示す図である。
【図８Ａ】干渉変調器を製作する方法における様々な段階の断面概略図の一例を示す図である。
【図８Ｂ】干渉変調器を製作する方法における様々な段階の断面概略図の一例を示す図である。
【図８Ｃ】干渉変調器を製作する方法における様々な段階の断面概略図の一例を示す図である。
【図８Ｄ】干渉変調器を製作する方法における様々な段階の断面概略図の一例を示す図である。
【図８Ｅ】干渉変調器を製作する方法における様々な段階の断面概略図の一例を示す図である。
【図９】ディスプレイデータのフレームを書き込むために使用され得るコモン信号およびセグメント信号についてのタイミング図の一例である。
【図１０Ａ】いくつかの実施態様で使用され得る時差セグメント遷移の例示的な波形の図である。
【図１０Ｂ】いくつかの実施態様で使用され得る予備放電波形を含むセグメント遷移の例示的な波形の図である。
【図１１】いくつかの実施態様によるディスプレイにデータを書き込む方法のフローチャートである。
【図１２】いくつかの実施態様によるディスプレイにデータを書き込む別の例示的な方法のフローチャートである。
【図１３Ａ】複数の干渉変調器を含むディスプレイデバイスを示すシステムブロック図の例を示す図である。
【図１３Ｂ】複数の干渉変調器を含むディスプレイデバイスを示すシステムブロック図の例を示す図である。
【発明を実施するための形態】
【００１２】
様々な図面中の同様の参照番号および名称は同様の要素を示す。
【００１３】
以下の詳細な説明は、発明的態様について説明する目的で、いくつかの実施態様を対象とする。しかしながら、本明細書の教示は、多数の異なる方法で適用され得る。説明する実施態様は、動いていようと(たとえば、ビデオ)、静止していようと(たとえば、静止画像)、およびテキストであろうと、グラフィックであろうと、絵であろうと、画像を表示するように構成された任意のデバイスにおいて実施され得る。より具体的には、実施態様は、限定はしないが、携帯電話、マルチメディアインターネット対応セルラー電話、モバイルテレビジョン受信機、ワイヤレスデバイス、スマートフォン、Bluetooth(登録商標)デバイス、携帯情報端末(PDA)、ワイヤレス電子メール受信機、ハンドヘルドまたはポータブルコンピュータ、ネットブック、ノートブック、スマートブック、タブレット、プリンタ、コピー機、スキャナ、ファクシミリデバイス、GPS受信機/ナビゲータ、カメラ、MP3プレーヤ、カムコーダ、ゲーム機、腕時計、クロック、計算器、テレビジョンモニタ、フラットパネルディスプレイ、電子リーディングデバイス(たとえば、電子リーダー)、コンピュータモニタ、自動車ディスプレイ(たとえば、オドメータディスプレイなど)、コックピットコントロールおよび/またはディスプレイ、カメラビューディスプレイ(たとえば、車両における後部ビューカメラのディスプレイ)、電子写真、電子ビルボードまたは標示、プロジェクタ、アーキテクチャ構造物、電子レンジ、冷蔵庫、ステレオシステム、カセットレコーダーまたはプレーヤ、DVDプレーヤ、CDプレーヤ、VCR、ラジオ、ポータブルメモリチップ、洗濯機、乾燥機、洗濯機/乾燥機、パーキングメーター、パッケージング(たとえば、電気機械システム(EMS)、MEMSおよび非MEMS)、審美構造物(たとえば、1つの宝飾品上の画像のディスプレイ)、ならびに様々な電気機械システムデバイスなど、様々な電子デバイス中に実施されるかまたはそれらに関連付けられ得ると考えられる。また、本明細書の教示は、限定はしないが、電子スイッチングデバイス、無線周波フィルタ、センサー、加速度計、ジャイロスコープ、運動感知デバイス、磁力計、コンシューマーエレクトロニクスのための慣性構成要素、コンシューマーエレクトロニクス製品の部品、バラクタ、液晶デバイス、電気泳動
デバイス、駆動方式、製造プロセス、および電子テスト機器など、非ディスプレイ適用例において使用され得る。したがって、本教示は、単に図に示す実施態様に限定されるものではなく、代わりに、当業者に直ちに明らかになるであろう広い適用性を有する。
【００１４】
本明細書で説明する主題の特定の実施態様は、ディスプレイにおけるディスプレイ要素の異なるラインのための可変の書込み波形ライン時間を含む。いくつかの態様では、ライン時間は、ディスプレイ要素に書き込まれるべきである画像データに基づいて変化する。たとえば、ディスプレイ要素の特定のラインのライン時間は、非作動状態から作動状態へ遷移することになるディスプレイ要素の数と、ディスプレイに画像データを書き込むためのセグメントライン遷移の数との関数であり得る。
【００１５】
本開示で説明する主題の特定の実施態様は、以下の潜在的な利点のうちの1つまたは複数を実現するように実施され得る。当技術分野で知られているドライバと比較したとき、ディスプレイデータを書き込むために必要とされる時間が低減され得る。これによって、画像が表示されるフレームレートを上げ、より低いフレームレートに関連するアーティファクトを低減することができる。さらに、ディスプレイ要素の性能は、ディスプレイのための同じ全体的な更新レートで改善され得る。所定の目標更新レートのために、ディスプレイに書き込まれるべき特定の画像データと、ラインに沿ったディスプレイ要素の特定の構造とに基づいて、ディスプレイの異なるラインに対して異なるようにライン持続時間を割り振ることが有用であり得る。これによって、ディスプレイ要素の好適な動作のためにより多くの余地を与えることができ、その結果、フレームレートを下げること、または画質を犠牲にすることなしに、ディスプレイパネルの歩留まりを向上させることができる。
【００１６】
説明する実施態様が適用され得る好適なMEMSデバイスの一例は、反射型ディスプレイデバイスである。反射型ディスプレイデバイスは、光学干渉の原理を使用してそれに入射する光を選択的に吸収および/または反射するために干渉変調器(IMOD)を組み込むことができる。IMODは、吸収器、吸収器に対して可動である反射体、ならびに吸収器と反射体との間に画定された光共振キャビティを含むことができる。反射体は、2つ以上の異なる位置に移動され得、これは、光共振キャビティのサイズを変化させ、それにより干渉変調器の反射率に影響を及ぼすことがある。IMODの反射スペクトルは、かなり広いスペクトルバンドをもたらすことができ、そのスペクトルバンドは、異なる色を生成するために可視波長にわたってシフトされ得る。スペクトルバンドの位置は、光共振キャビティの厚さを変更することによって、すなわち、反射体の位置を変更することによって調節され得る。
【００１７】
図1は、干渉変調器(IMOD)ディスプレイデバイスの一連のピクセル中の2つの隣接ピクセルを示す等角図の一例を示す。IMODディスプレイデバイスは、1つまたは複数の干渉MEMSディスプレイ要素を含む。これらのデバイスでは、MEMSディスプレイ要素のピクセルが、明状態または暗状態のいずれかにあることがある。明(「緩和」、「開」または「オン」)状態では、ディスプレイ要素は、たとえば、ユーザに、入射可視光の大部分を反射する。逆に、暗(「作動」、「閉」または「オフ」)状態では、ディスプレイ要素は入射可視光をほとんど反射しない。いくつかの実施態様では、オン状態の光反射特性とオフ状態の光反射特性は逆にされ得る。MEMSピクセルは、黒および白に加えて、主に、カラーディスプレイを可能にする特定の波長において、反射するように構成され得る。
【００１８】
IMODディスプレイデバイスは、IMODの行/列アレイを含むことができる。各IMODは、(光ギャップまたはキャビティとも呼ばれる)エアギャップを形成するように互いから可変で制御可能な距離をおいて配置された反射層のペア、すなわち、可動反射層と固定部分反射層とを含むことができる。可動反射層は、少なくとも2つの位置の間で移動され得る。第1の位置、すなわち、緩和位置では、可動反射層は、固定部分反射層から比較的大きい距離をおいて配置され得る。第2の位置、すなわち、作動位置では、可動反射層は、部分反射層により近接して配置され得る。それら2つの層から反射する入射光は、可動反射層の位置に応じて、強め合うようにまたは弱め合うように干渉し、各ピクセルについて全反射状態または無反射状態のいずれかを引き起こすことがある。いくつかの実施態様では、IMODは、作動していないときに反射状態にあり、可視スペクトル内の光を反射し得、また、作動しているときに暗状態にあり、可視範囲外の光(たとえば、赤外光)を反射し得る。ただし、いくつかの他の実施態様では、IMODは、作動していないときに暗状態にあり、作動しているときに反射状態にあり得る。いくつかの実施態様では、印加電圧の導入が、状態を変更するようにピクセルを駆動することができる。いくつかの他の実施態様では、印加電荷が、状態を変更するようにピクセルを駆動することができる。
【００１９】
図1中のピクセルアレイの図示の部分は、2つの隣接する干渉変調器12を含む。(図示のような)左側のIMOD12では、可動反射層14が、部分反射層を含む光学スタック16からの所定の距離における緩和位置に示されている。左側のIMOD12の両端間に印加された電圧V0は、可動反射層14の作動を引き起こすには不十分である。右側のIMOD12では、可動反射層14は、光学スタック16の近くの、またはそれに隣接する作動位置に示されている。右側のIMOD12の両端間に印加された電圧Vbiasは、可動反射層14を作動位置に維持するのに十分である。
【００２０】
図1では、ピクセル12の反射特性が、概して、ピクセル12に入射する光13を示す矢印と、左側のピクセル12から反射する光15とを用いて示されている。詳細に示していないが、ピクセル12に入射する光13の大部分は透明基板20を透過され、光学スタック16に向かうことになることを、当業者なら理解されよう。光学スタック16に入射する光の一部分は光学スタック16の部分反射層を透過されることになり、一部分は反射され、透明基板20を通って戻ることになる。光学スタック16を透過された光13の部分は、可動反射層14において反射され、透明基板20に向かって(およびそれを通って)戻ることになる。光学スタック16の部分反射層から反射された光と可動反射層14から反射された光との間の(強め合うまたは弱め合う)干渉が、ピクセル12から反射される光15の(1つまたは複数の)波長を決定することになる。
【００２１】
光学スタック16は、単一の層またはいくつかの層を含むことができる。その(1つまたは複数の)層は、電極層と、部分反射および部分透過層と、透明な誘電体層とのうちの1つまたは複数を含むことができる。いくつかの実施態様では、光学スタック16は、電気伝導性であり、部分的に透明で、部分的に反射性であり、たとえば、透明基板20上に上記の層のうちの1つまたは複数を堆積させることによって、作製され得る。電極層は、様々な金属、たとえば酸化インジウムスズ(ITO)など、様々な材料から形成され得る。部分反射層は、様々な金属、たとえば、クロム(Cr)、半導体、および誘電体など、部分的に反射性である様々な材料から形成され得る。部分反射層は、材料の1つまたは複数の層から形成され得、それらの層の各々は、単一の材料または材料の組合せから形成され得る。いくつかの実施態様では、光学スタック16は、光吸収体と導体の両方として働く、金属または半導体の単一の半透明の膜(thickness)を含むことができるが、(たとえば、光学スタック16の、またはIMODの他の構造の)異なる、より伝導性の高い層または部分が、IMODピクセル間で信号をバスで運ぶ(bus)ように働くことができる。光学スタック16は、1つまたは複数の伝導性層または伝導性/吸収層をカバーする、1つまたは複数の絶縁層または誘電体層をも含むことができる。
【００２２】
いくつかの実施態様では、光学スタック16の(1つまたは複数の)層は、以下でさらに説明するように、平行ストリップにパターニングされ得、ディスプレイデバイスにおける行電極を形成し得る。当業者によって理解されるように、「パターニング」という用語は、本明細書では、マスキングプロセスならびにエッチングプロセスを指すために使用される。いくつかの実施態様では、アルミニウム(Al)などの高伝導性および反射性材料が可動反射層14のために使用され得、これらのストリップはディスプレイデバイスにおける列電極を形成し得る。可動反射層14は、(光学スタック16の行電極に直交する)1つまたは複数の堆積された金属層の一連の平行ストリップとして形成されて、ポスト18の上に堆積された列とポスト18間に堆積された介在する犠牲材料とを形成し得る。犠牲材料がエッチング除去されると、画定されたギャップ19または光キャビティが可動反射層14と光学スタック16との間に形成され得る。いくつかの実施態様では、ポスト18間の間隔は約1〜1000μmであり得、ギャップ19は10,000オングストローム(Å)未満であり得る。
【００２３】
いくつかの実施態様では、IMODの各ピクセルは、作動状態にあろうと緩和状態にあろうと、本質的に、固定反射層および可動反射層によって形成されるキャパシタである。電圧が印加されないとき、可動反射層14は、図1中の左側のピクセル12によって示されるように、機械的に緩和した状態にとどまり、可動反射層14と光学スタック16との間のギャップ19がある。しかしながら、電位差、たとえば、電圧が、選択された行および列のうちの少なくとも1つに印加されたとき、対応するピクセルにおける行電極と列電極との交差部に形成されたキャパシタは帯電し、静電力がそれらの電極を引き合わせる。印加された電圧がしきい値を超える場合、可動反射層14は、変形し、光学スタック16の近くにまたはそれに対して移動することができる。光学スタック16内の誘電体層(図示せず)が、図1中の右側の作動ピクセル12によって示されるように、短絡を防ぎ、層14と層16との間の分離距離を制御し得る。その挙動は、印加電位差の極性にかかわらず同じである。いくつかの事例ではアレイ中の一連のピクセルが「行」または「列」と呼ばれることがあるが、ある方向を「行」と呼び、別の方向を「列」と呼ぶことは恣意的であることを、当業者は容易に理解されよう。言い換えれば、いくつかの配向では、行は列と見なされ得、列は行であると見なされ得る。さらに、ディスプレイ要素は、直交する行および列に一様に配置されるか(「アレイ」)、または、たとえば、互いに対して一定の位置オフセットを有する、非線形構成で配置され得る(「モザイク」)。「アレイ」および「モザイク」という用語は、いずれかの構成を指し得る。したがって、ディスプレイは、「アレイ」または「モザイク」を含むものとして言及されるが、その要素自体は、いかなる事例においても、互いに直交して配置される必要がなく、または一様な分布で配設される必要がなく、非対称形状および不均等に分布された要素を有する配置を含み得る。
【００２４】
図2は、3×3干渉変調器ディスプレイを組み込んだ電子デバイスを示すシステムブロック図の一例を示す。電子デバイスは、1つまたは複数のソフトウェアモジュールを実行するように構成され得るプロセッサ21を含む。オペレーティングシステムを実行することに加えて、プロセッサ21は、ウェブブラウザ、電話アプリケーション、電子メールプログラム、または任意の他のソフトウェアアプリケーションを含む、1つまたは複数のソフトウェアアプリケーションを実行するように構成され得る。
【００２５】
プロセッサ21は、アレイドライバ22と通信するように構成され得る。アレイドライバ22は、たとえば、ディスプレイアレイまたはパネル30に、信号を与える行ドライバ回路24と列ドライバ回路26とを含むことができる。図2には、図1に示したIMODディスプレイデバイスの断面が線1-1によって示されている。図2は明快のためにIMODの3×3アレイを示しているが、ディスプレイアレイ30は、極めて多数のIMODを含んでいることがあり、列におけるIMODの数とは異なる数のIMODを行において有し得、その逆も同様である。
【００２６】
図3は、図1の干渉変調器についての可動反射層位置対印加電圧を示す図の一例を示す。MEMS干渉変調器の場合、行/列(すなわち、コモン/セグメント)書込みプロシージャが、図3に示すこれらのデバイスのヒステリシス特性を利用し得る。干渉変調器は、可動反射層またはミラーに緩和状態から作動状態に変更させるために、たとえば、約10ボルトの電位差を必要とし得る。電圧がその値から低減されると、電圧が低下して、たとえば、10ボルトより下に戻ったとき、可動反射層はそれの状態を維持するが、電圧が2ボルトより下に低下するまで、可動反射層は完全には緩和しない。したがって、図3に示すように、印加電圧のウィンドウがある電圧の範囲、約3〜7ボルトが存在し、そのウィンドウ内でデバイスは緩和状態または作動状態のいずれかで安定している。これは、本明細書では「ヒステリシスウィンドウ」または「安定性ウィンドウ」と呼ばれる。図3のヒステリシス特性を有するディスプレイアレイ30の場合、行/列書込みプロシージャは、一度に1つまたは複数の行をアドレス指定するように設計され得、その結果、所与の行のアドレス指定中に、作動されるべきアドレス指定された行におけるピクセルは、約10ボルトの電圧差にさらされ、緩和されるべきピクセルは、ほぼ0ボルトの電圧差にさらされる。アドレス指定後に、それらのピクセルは、それらが前のストローブ状態にとどまるような、約5ボルトの定常状態またはバイアス電圧差にさらされる。この例では、アドレス指定された後に、各ピクセルは、約3〜7ボルトの「安定性ウィンドウ」内の電位差を経験する。このヒステリシス特性の特徴は、たとえば、図1に示した、ピクセル設計が、同じ印加電圧条件下で作動または緩和のいずれかの既存の状態で安定したままであることを可能にする。各IMODピクセルは、作動状態にあろうと緩和状態にあろうと、本質的に、固定反射層および可動反射層によって形成されるキャパシタであるので、この安定状態は、電力を実質的に消費するかまたは失うことなしに、ヒステリシスウィンドウ内の定常電圧において保持され得る。その上、印加電圧電位が実質的に固定のままである場合、電流は本質的にほとんどまたはまったくIMODピクセルに流れ込まない。
【００２７】
いくつかの実施態様では、所与の行におけるピクセルの状態の所望の変化(もしあれば)に従って、列電極のセットに沿って「セグメント」電圧の形態のデータ信号を印加することによって、画像のフレームが作成され得る。次に、フレームが一度に1行書き込まれるように、アレイの各行がアドレス指定され得る。第1の行におけるピクセルに所望のデータを書き込むために、第1の行におけるピクセルの所望の状態に対応するセグメント電圧が列電極上に印加され得、特定の「コモン」電圧または信号の形態の第1の行パルスが第1の行電極に印加され得る。次いで、セグメント電圧のセットは、第2の行におけるピクセルの状態の所望の変化(もしあれば)に対応するように変更され得、第2のコモン電圧が第2の行電極に印加され得る。いくつかの実施態様では、第1の行におけるピクセルは、列電極に沿って印加されたセグメント電圧の変化による影響を受けず、第1のコモン電圧行パルス中にそれらのピクセルが設定された状態にとどまる。このプロセスは、画像フレームを生成するために、一連の行全体、または代替的に、一連の列全体について、連続方式で繰り返され得る。フレームは、何らかの所望の数のフレーム毎秒でこのプロセスを断続的に反復することによって、新しい画像データでリフレッシュおよび/または更新され得る。
【００２８】
各ピクセルの両端間に印加されるセグメント信号とコモン信号の組合せ(すなわち、各ピクセルの両端間の電位差)は、各ピクセルの得られる状態を決定する。図4は、様々なコモン電圧およびセグメント電圧が印加されたときの干渉変調器の様々な状態を示す表の一例を示している。当業者によって容易に理解されるように、「セグメント」電圧は、列電極または行電極のいずれかに印加され得、「コモン」電圧は、列電極または行電極のうちの他方に印加され得る。
【００２９】
図4に(ならびに図5Bに示すタイミング図に)示すように、開放電圧(release  voltage)VCRELがコモンラインに沿って印加されたとき、コモンラインに沿ったすべての干渉変調器要素は、セグメントラインに沿って印加された電圧、すなわち、高いセグメント電圧VSHおよび低いセグメント電圧VSLにかかわらず、代替的に開放または非作動状態と呼ばれる、緩和状態に入れられることになる。特に、開放電圧VCRELがコモンラインに沿って印加されると、そのピクセルのための対応するセグメントラインに沿って高いセグメント電圧VSHが印加されたときも、低いセグメント電圧VSLが印加されたときも、変調器の両端間の潜在的な電圧(代替的にピクセル電圧と呼ばれる)は緩和ウィンドウ(図3参照。開放ウィンドウとも呼ばれる)内にある。
【００３０】
高い保持電圧VCHOLD_Hまたは低い保持電圧VCHOLD_Lなどの保持電圧がコモンライン上に印加されたとき、干渉変調器の状態は一定のままであることになる。たとえば、緩和IMODは緩和位置にとどまることになり、作動IMODは作動位置にとどまることになる。保持電圧は、対応するセグメントラインに沿って高いセグメント電圧VSHが印加されたときも、低いセグメント電圧VSLが印加されたときも、ピクセル電圧が安定性ウィンドウ内にとどまることになるように、選択され得る。したがって、セグメント電圧スイング(voltage  swing)、すなわち、高いVSHと低いセグメント電圧VSLとの間の差は、正または負のいずれかの安定性ウィンドウの幅よりも小さい。
【００３１】
高いアドレス指定電圧VCADD_Hまたは低いアドレス指定電圧VCADD_Lなどのアドレス指定または作動電圧がコモンライン上に印加されたとき、それぞれのセグメントラインに沿ったセグメント電圧の印加によって、データがそのコモンラインに沿った変調器に選択的に書き込まれ得る。セグメント電圧は、作動が印加されたセグメント電圧に依存するように選択され得る。アドレス指定電圧がコモンラインに沿って印加されたとき、一方のセグメント電圧の印加は、安定性ウィンドウ内のピクセル電圧をもたらし、ピクセルが非作動のままであることを引き起こすことになる。対照的に、他方のセグメント電圧の印加は、安定性ウィンドウを越えるピクセル電圧をもたらし、ピクセルの作動をもたらすことになる。作動を引き起こす特定のセグメント電圧は、どのアドレス指定電圧が使用されるかに応じて変動することができる。いくつかの実施態様では、高いアドレス指定電圧VCADD_Hがコモンラインに沿って印加されたとき、高いセグメント電圧VSHの印加は、変調器がそれの現在位置にとどまることを引き起こすことがあり、低いセグメント電圧VSLの印加は、変調器の作動を引き起こすことがある。当然の結果として、低いアドレス指定電圧VCADD_Lが印加されたとき、セグメント電圧の影響は反対であり、高いセグメント電圧VSHは変調器の作動を引き起こし、低いセグメント電圧VSLは変調器の状態に影響しない(すなわち、安定したままである)ことがある。
【００３２】
いくつかの実施態様では、常に変調器の両端間で同じ極性電位差を引き起こす保持電圧、アドレス電圧、およびセグメント電圧が使用され得る。いくつかの他の実施態様では、変調器の電位差の極性を交番する信号が使用され得る。変調器の両端間の極性の交番(すなわち、書込みプロシージャの極性の交番)は、単一の極性の反復書込み動作後に起こることがある電荷蓄積を低減または抑止し得る。
【００３３】
図5Aは、図2の3×3干渉変調器ディスプレイにおけるディスプレイデータのフレームを示す図の一例を示す。図5Bは、図5Aに示すディスプレイデータのフレームを書き込むために使用され得るコモン信号およびセグメント信号についてのタイミング図の一例を示す。それらの信号は、たとえば、図2の3×3アレイに印加され得、これは、図5Aに示すライン時間60eディスプレイ配置を最終的にもたらすことになる。図5A中の作動変調器は暗状態にあり、すなわち、その状態では、反射光の実質的部分が、たとえば、閲覧者に、暗いアピアランスをもたらすように可視スペクトルの外にある。図5Aに示すフレームを書き込むより前に、ピクセルは任意の状態にあることがあるが、図5Bのタイミング図に示す書込みプロシージャは、各変調器が、第1のライン時間60aの前に、開放されており、非作動状態に属すると仮定する。
【００３４】
第1のライン時間60a中に、開放電圧70がコモンライン1上に印加され、コモンライン2上に印加される電圧が、高い保持電圧72において始まり、開放電圧70に移動し、低い保持電圧76がコモンライン3に沿って印加される。したがって、コモンライン1に沿った変調器(コモン1,セグメント1)、(1,2)および(1,3)は、第1のライン時間60aの持続時間の間、緩和または非作動状態にとどまり、コモンライン2に沿った変調器(2,1)、(2,2)および(2,3)は、緩和状態に移動することになり、コモンライン3に沿った変調器(3,1)、(3,2)および(3,3)は、それらの前の状態にとどまることになる。図4を参照すると、コモンライン1、2または3のいずれも、ライン時間60a中に作動を引き起こす電圧レベルにさらされていないので(すなわち、VCREL-緩和、およびVCHOLD_L-安定)、セグメントライン1、2および3に沿って印加されたセグメント電圧は、干渉変調器の状態に影響しないことになる。
【００３５】
第2のライン時間60b中に、コモンライン1上の電圧は高い保持電圧72に移動し、コモンライン1に沿ったすべての変調器は、アドレス指定または作動電圧がコモンライン1上に印加されなかったので、印加されたセグメント電圧にかかわらず、緩和状態にとどまる。コモンライン2に沿った変調器は、開放電圧70の印加により、緩和状態にとどまり、コモンライン3に沿った変調器(3,1)、(3,2)および(3,3)は、コモンライン3に沿った電圧が開放電圧70に移動するとき、緩和することになる。
【００３６】
第3のライン時間60c中に、コモンライン1は、コモンライン1上に高いアドレス電圧74を印加することによってアドレス指定される。このアドレス電圧の印加中に低いセグメント電圧64がセグメントライン1および2に沿って印加されるので、変調器(1,1)および(1,2)の両端間のピクセル電圧は変調器の正の安定性ウィンドウの上端よりも大きく(すなわち、電圧差は、あらかじめ定義されたしきい値を超えた)、変調器(1,1)および(1,2)は作動される。逆に、高いセグメント電圧62がセグメントライン3に沿って印加されるので、変調器(1,3)の両端間のピクセル電圧は、変調器(1,1)および(1,2)のピクセル電圧よりも小さく、変調器の正の安定性ウィンドウ内にとどまり、したがって変調器(1,3)は緩和したままである。また、ライン時間60c中に、コモンライン2に沿った電圧は低い保持電圧76に減少し、コモンライン3に沿った電圧は開放電圧70にとどまり、コモンライン2および3に沿った変調器を緩和位置のままにする。
【００３７】
第4のライン時間60d中に、コモンライン1上の電圧は、高い保持電圧72に戻り、コモンライン1に沿った変調器を、それらのそれぞれのアドレス指定された状態のままにする。コモンライン2上の電圧は低いアドレス電圧78に減少される。高いセグメント電圧62がセグメントライン2に沿って印加されるので、変調器(2,2)の両端間のピクセル電圧は、変調器の負の安定性ウィンドウの下側端部(lower  end)を下回り、変調器(2,2)が作動することを引き起こす。逆に、低いセグメント電圧64がセグメントライン1および3に沿って印加されるので、変調器(2,1)および(2,3)は緩和位置にとどまる。コモンライン3上の電圧は、高い保持電圧72に増加し、コモンライン3に沿った変調器を緩和状態のままにする。
【００３８】
最後に、第5のライン時間60e中に、コモンライン1上の電圧は高い保持電圧72にとどまり、コモンライン2上の電圧は低い保持電圧76にとどまり、コモンライン1および2に沿った変調器を、それらのそれぞれのアドレス指定された状態のままにする。コモンライン3上の電圧は、コモンライン3に沿った変調器をアドレス指定するために、高いアドレス電圧74に増加する。低いセグメント電圧64がセグメントライン2および3上に印加されるので、変調器(3,2)および(3,3)は作動するが、セグメントライン1に沿って印加された高いセグメント電圧62は、変調器(3,1)が緩和位置にとどまることを引き起こす。したがって、第5のライン時間60eの終わりに、3×3ピクセルアレイは、図5Aに示す状態にあり、他のコモンライン(図示せず)に沿った変調器がアドレス指定されているときに起こり得るセグメント電圧の変動にかかわらず、保持電圧がコモンラインに沿って印加される限り、その状態にとどまることになる。
【００３９】
図5Bのタイミング図では、所与の書込みプロシージャ(すなわち、ライン時間60a〜60e)は、高い保持およびアドレス電圧、または低い保持およびアドレス電圧のいずれかの使用を含むことができる。書込みプロシージャが所与のコモンラインについて完了されると(また、コモン電圧が、作動電圧と同じ極性を有する保持電圧に設定されると)、ピクセル電圧は、所与の安定性ウィンドウ内にとどまり、開放電圧がそのコモンライン上に印加されるまで、緩和ウィンドウを通過しない。さらに、各変調器が、変調器をアドレス指定するより前に書込みプロシージャの一部として開放されるので、開放時間ではなく変調器の作動時間が、必要なライン時間を決定し得る。詳細には、変調器の開放時間が作動時間よりも大きい実施態様では、開放電圧は、図5Bに示すように、単一のライン時間よりも長く印加され得る。いくつかの他の実施態様では、コモンラインまたはセグメントラインに沿って印加される電圧が、異なる色の変調器など、異なる変調器の作動電圧および開放電圧の変動を相殺するように変動し得る。
【００４０】
上記に記載した原理に従って動作する干渉変調器の構造の詳細は大きく異なり得る。たとえば、図6A〜図6Eは、可動反射層14とそれの支持構造とを含む、干渉変調器の異なる実施態様の断面図の例を示している。図6Aは、金属材料のストリップ、すなわち、可動反射層14が、基板20から直角に延在する支持体18上に堆積される、図1の干渉変調器ディスプレイの部分断面図の一例を示している。図6Bでは、各IMODの可動反射層14は、概して形状が正方形または長方形であり、コーナーにおいてまたはその近くでテザー32に接して支持体に取り付けられる。図6Cでは、可動反射層14は、概して形状が正方形または長方形であり、フレキシブルな金属を含み得る変形可能層34から吊るされる。変形可能層34は、可動反射層14の外周の周りで基板20に直接または間接的に接続することがある。これらの接続は、本明細書では支持ポストと呼ばれる。図6Cに示す実施態様は、変形可能層34によって行われる可動反射層14の機械的機能からのそれの光学的機能の分離から派生する追加の利益を有する。この分離は、反射層14のために使用される構造設計および材料と、変形可能層34のために使用される構造設計および材料とが、互いとは無関係に最適化されることを可能にする。
【００４１】
図6Dは、可動反射層14が反射副層(reflective  sub-layer)14aを含む、IMODの別の例を示している。可動反射層14は、支持ポスト18などの支持構造上に載る。支持ポスト18は、たとえば、可動反射層14が緩和位置にあるとき、可動反射層14と光学スタック16との間にギャップ19が形成されるように、下側静止電極(すなわち、図示のIMODにおける光学スタック16の一部)からの可動反射層14の分離を可能にする。可動反射層14は、電極として働くように構成され得る伝導性層14cと、支持層14bとをも含むことができる。この例では、伝導性層14cは、基板20から遠位にある支持層14bの一方の面に配設され、反射副層14aは、基板20の近位にある支持層14bの他方の面に配設される。いくつかの実施態様では、反射副層14aは、伝導性であることがあり、支持層14bと光学スタック16との間に配設され得る。支持層14bは、誘電材料、たとえば、酸窒化ケイ素(SiON)または二酸化ケイ素(SiO2)の、1つまたは複数の層を含むことができる。いくつかの実施態様では、支持層14bは、たとえば、SiO2/SiON/SiO23層スタックなど、複数の層のスタックであり得る。反射副層14aと伝導性層14cのいずれかまたは両方は、たとえば、約0.5%の銅(Cu)または別の反射金属材料を用いた、アルミニウム(Al)合金を含むことができる。誘電支持層14bの上および下で伝導性層14a、14cを採用することは、応力のバランスをとり、伝導の向上を与えることができる。いくつかの実施態様では、反射副層14aおよび伝導性層14cは、可動反射層14内の特定の応力プロファイルを達成することなど、様々な設計目的で、異なる材料から形成され得る。
【００４２】
図6Dに示すように、いくつかの実施態様はブラックマスク構造23をも含むことができる。ブラックマスク構造23は、周辺光または迷光を吸収するために、光学不活性領域において(たとえば、ピクセル間にまたはポスト18の下に)形成され得る。ブラックマスク構造23はまた、光がディスプレイの不活性部分から反射されることまたはそれを透過されることを抑止し、それによりコントラスト比を増加させることによって、ディスプレイデバイスの光学的特性を改善することができる。さらに、ブラックマスク構造23は、伝導性であり、電気的バス層として機能するように構成され得る。いくつかの実施態様では、行電極は、接続された行電極の抵抗を低減するために、ブラックマスク構造23に接続され得る。ブラックマスク構造23は、堆積およびパターニング技法を含む様々な方法を使用して形成され得る。ブラックマスク構造23は1つまたは複数の層を含むことができる。たとえば、いくつかの実施態様では、ブラックマスク構造23は、光吸収器として働くモリブデンクロム(MoCr)層と、層と、反射体およびバス層として働く、アルミニウム合金とを含み、それぞれ、約30〜80Å、500〜1000Å、および500〜6000Åの範囲内の厚さである。1つまたは複数の層は、たとえば、MoCr層およびSiO2層の場合は、四フッ化炭素(CF4)および/または酸素(O2)、ならびにアルミニウム合金層の場合は、塩素(Cl2)および/または三塩化ホウ素(BCl3)を含む、フォトリソグラフィおよびドライエッチングを含む、様々な技法を使用してパターニングされ得る。いくつかの実施態様では、ブラックマスク23はエタロンまたは干渉スタック構造であり得る。そのような干渉スタックブラックマスク構造23では、伝導性吸収体は、各行または列の光学スタック16における下側静止電極間で信号を送信するかまたは信号をバスで運ぶために使用され得る。いくつかの実施態様では、スペーサ層35が、ブラックマスク23中の伝導性層から吸収層16aを概して電気的に絶縁するのに、役立つことができる。
【００４３】
図6Eは、可動反射層14が自立している、IMODの別の例を示している。図6Dとは対照的に、図6Eの実施態様は支持ポスト18を含まない。代わりに、可動反射層14は、複数のロケーションにおいて、下にある光学スタック16に接触し、可動反射層14の湾曲は、干渉変調器の両端間の電圧が作動を引き起こすには不十分であるとき、可動反射層14が図6Eの非作動位置に戻るという、十分な支持を与える。複数のいくつかの異なる層を含んでいることがある光学スタック16は、ここでは明快のために、光吸収体16aと誘電体16bとを含む状態で示されている。いくつかの実施態様では、光吸収体16aは、固定電極としても、部分反射層としても働き得る。
【００４４】
図6A〜図6Eに示す実施態様などの実施態様では、IMODは直視型デバイスとして機能し、直視型デバイスでは、画像が、透明基板20の正面、すなわち、変調器が配置された面の反対の面から、閲覧される。これらの実施態様では、デバイスの背面部分(すなわち、たとえば、図6Cに示す変形可能層34を含む、可動反射層14の背後のディスプレイデバイスの任意の部分)は、反射層14がデバイスのそれらの部分を光学的に遮蔽するので、ディスプレイデバイスの画質に影響を及ぼすことまたは悪影響を及ぼすことなしに、構成され、作用され得る。たとえば、いくつかの実施態様では、バス構造(図示せず)が可動反射層14の背後に含まれ得、これは、電圧アドレス指定およびそのようなアドレス指定に起因する移動など、変調器の電気機械的特性から変調器の光学的特性を分離する能力を与える。さらに、図6A〜図6Eの実施態様は、たとえば、パターニングなどの処理を簡略化することができる。
【００４５】
図7は、干渉変調器のための製造プロセス80を示す流れ図の一例を示しており、図8A〜図8Eは、そのような製造プロセス80の対応する段階の断面概略図の例を示している。いくつかの実施態様では、製造プロセス80は、図7に示されていない他のブロックに加えて、たとえば、図1および図6に示す一般的なタイプの干渉変調器を製造するために実施され得る。図1、図6および図7を参照すると、プロセス80はブロック82において開始し、基板20上への光学スタック16の形成を伴う。図8Aは、基板20上で形成されたそのような光学スタック16を示している。基板20は、ガラスまたはプラスチックなどの透明基板であり得、それは、フレキシブルであるかまたは比較的固く曲がらないことがあり、光学スタック16の効率的な形成を可能にするために、事前準備プロセス、たとえば、洗浄にかけられていることがある。上記で説明したように、光学スタック16は、電気伝導性であり、部分的に透明で、部分的に反射性であることがあり、たとえば、透明基板20上に、所望の特性を有する1つまたは複数の層を堆積させることによって、作製され得る。図8Aでは、光学スタック16は、副層16aおよび16bを有する多層構造を含むが、いくつかの他の実施態様では、より多いまたはより少ない副層が含まれ得る。いくつかの実施態様では、副層16a、16bのうちの1つは、組み合わせられた導体/吸収体副層16aなど、光吸収特性と伝導特性の両方で構成され得る。さらに、副層16a、16bのうちの1つまたは複数は、平行ストリップにパターニングされ得、ディスプレイデバイスにおける行電極を形成し得る。そのようなパターニングは、当技術分野で知られているマスキングおよびエッチングプロセスまたは別の好適なプロセスによって実行され得る。いくつかの実施態様では、副層16a、16bのうちの1つは、1つまたは複数の金属層(たとえば、1つまたは複数の反射層および/または伝導性層)上に堆積された副層16bなど、絶縁層または誘電体層であり得る。さらに、光学スタック16は、ディスプレイの行を形成する個々の平行ストリップにパターニングされ得る。
【００４６】
プロセス80はブロック84において続き、光学スタック16上への犠牲層25の形成を伴う。犠牲層25は、キャビティ19を形成するために後で(たとえば、ブロック90において)除去され、したがって、犠牲層25は、図1に示した得られた干渉変調器12には示されていない。図8Bは、光学スタック16上で形成された犠牲層25を含む、部分的に作製されたデバイスを示している。光学スタック16上での犠牲層25の形成は、後続の除去後に、所望の設計サイズを有するギャップまたはキャビティ19(図1および図8Eも参照)を与えるように選択された厚さの、モリブデン(Mo)またはアモルファスシリコン(a-Si)など、フッ化キセノン(XeF2)エッチング可能材料の堆積を含み得る。犠牲材料の堆積は、物理堆積(PVD、たとえば、スパッタリング)、プラズマ強化化学堆積(PECVD)、熱化学堆積(熱CVD)、またはスピンコーティングなど、堆積技法を使用して行われ得る。
【００４７】
プロセス80はブロック86において続き、支持構造、たとえば、図1、図6および図8Cに示すポスト18の形成を伴う。ポスト18の形成は、支持構造開口を形成するために犠牲層25をパターニングすることと、次いで、PVD、PECVD、熱CVD、またはスピンコーティングなど、堆積方法を使用して、ポスト18を形成するために開口中に材料(たとえば、ポリマーまたは無機材料、たとえば、酸化ケイ素)を堆積させることとを含み得る。いくつかの実施態様では、犠牲層中に形成された支持構造開口は、ポスト18の下側端部が図6Aに示すように基板20に接触するように、犠牲層25と光学スタック16の両方を通って、下にある基板20まで延在することがある。代替的に、図8Cに示すように、犠牲層25中に形成された開口は、犠牲層25は通るが、光学スタック16は通らないで、延在することがある。たとえば、図8Eは、光学スタック16の上側表面(upper  surface)と接触している支持ポスト18の下側端部を示している。ポスト18、または他の支持構造は、犠牲層25上に支持構造材料の層を堆積させることと、犠牲層25中の開口から離れて配置された支持構造材料の部分をパターニングすることとによって形成され得る。支持構造は、図8Cに示すように開口内に配置され得るが、少なくとも部分的に、犠牲層25の一部分の上で延在することもある。上述のように、犠牲層25および/または支持ポスト18のパターニングは、パターニングおよびエッチングプロセスによって実行され得るが、代替エッチング方法によっても実行され得る。
【００４８】
プロセス80はブロック88において続き、図1、図6および図8Dに示す可動反射層14などの可動反射層または膜の形成を伴う。可動反射層14は、1つまたは複数のパターニング、マスキング、および/またはエッチングステップとともに、1つまたは複数の堆積ステップ、たとえば、反射層(たとえば、アルミニウム、アルミニウム合金)堆積を採用することによって、形成され得る。可動反射層14は、電気伝導性であり、電気伝導性層(electrically  conductive  layer)と呼ばれることがある。いくつかの実施態様では、可動反射層14は、図8Dに示すように複数の副層14a、14b、14cを含み得る。いくつかの実施態様では、副層14a、14cなど、副層のうちの1つまたは複数は、それらの光学的特性のために選択された高反射性副層を含み得、別の副層14bは、それの機械的特性のために選択された機械的副層を含み得る。犠牲層25は、ブロック88において形成された部分的に作製された干渉変調器中に依然として存在するので、可動反射層14は、一般にこの段階では可動でない。犠牲層25を含んでいる部分的に作製されたIMODは、本明細書では「非開放(unreleased)」IMODと呼ばれることもある。図1に関して上記で説明したように、可動反射層14は、ディスプレイの列を形成する個々の平行ストリップにパターニングされ得る。
【００４９】
プロセス80はブロック90において続き、キャビティ、たとえば、図1、図6および図8Eに示すキャビティ19の形成を伴う。キャビティ19は、(ブロック84において堆積された)犠牲材料25をエッチャントにさらすことによって形成され得る。たとえば、MoまたはアモルファスSiなどのエッチング可能犠牲材料が、ドライ化学エッチングによって、たとえば、一般に、キャビティ19を囲む構造に対して選択的に除去される、所望の量の材料を除去するのに有効である期間の間、固体XeF2から派生した蒸気などの気体または蒸気エッチャントに犠牲層25をさらすことによって、除去され得る。他のエッチング方法、たとえば、ウェットエッチングおよび/またはプラズマエッチングも使用され得る。犠牲層25がブロック90中に除去されるので、可動反射層14は、一般に、この段階後に可動となる。犠牲材料25の除去後に、得られた完全にまたは部分的に作製されたIMODは、本明細書では「開放」IMODと呼ばれることがある。
【００５０】
図5Aおよび図5Bを参照しながら上記で説明したように、データは、コモンライン駆動信号およびセグメントライン駆動信号の変動を通してディスプレイに書き込まれ得る。図9は、ディスプレイデータを書き込むために使用され得るコモンライン駆動信号およびセグメントライン駆動信号についてのタイミング図の一例を示す。図9は、3つの正のコモンライン書込み波形(コモンライン1、コモンライン2、およびコモンライン3)を含む。同じく図示するものは、3つのセグメントライン波形(セグメントライン1、セグメントライン2、およびセグメントライン3)である。ディスプレイ要素のアレイを駆動するように構成されたコモンラインおよびセグメントラインの数は、ディスプレイのタイプ、および/またはディスプレイを駆動するために使用される駆動方式に基づくことは、当業者には認識されよう。
【００５１】
図9に示すように、アレイ中の各ディスプレイ要素は、最初に、開放電圧70を有するクリアリングパルス(clearing  pulse)の印加によって非作動状態へ駆動され得る。クリアリングパルスに続いて、コモンラインは、図9に示すように、保持電圧レベル、たとえば、高い保持電圧72へ遷移され得る。ディスプレイ要素のラインにデータを書き込むために、コモンラインは、高い保持電圧72から高いアドレス電圧74へ遷移され、高い保持電圧72へ戻るように遷移される。図9に示すように、データを書き込むためのプロセス中に3つの時間期間があり、これらの時間期間は、ライン時間60と総称されることがある。
【００５２】
ライン時間60は、フロントポーチ1020と、書込みパルス1024と、バックポーチ1022とを含む。フロントポーチ1020は、コモンラインに沿ったディスプレイ要素へのデータの書込みにおけるエラーを回避するために、セグメントライン遷移の開始の後にくる、書込みパルス1024の前の遅延時間として定義され得る。書込みパルス1024中に、図9に示すように、アドレス電圧、たとえば、高いアドレス電圧74に対応する電圧レベルが印加される。バックポーチ1022は、コモンラインに接続されたディスプレイ要素へのデータの書込みにおけるエラーを回避するために、書込みパルス1024の後にくる、セグメントライン遷移の開始より前の遅延時間として定義され得る。フロントポーチ1020およびバックポーチ1022は、高いアドレス電圧74などのアドレス電圧と、高い保持電圧72などの保持電圧との間の遷移中の遅延を補償し得る。
【００５３】
図5Bを参照しながら上記で説明したように、正極性の書込み波形では、高いアドレス電圧74の書込みパルス1024が印加され、対応するセグメントラインが低いセグメント電圧64にあるとき、ディスプレイ要素が作動されるように、セグメント遷移は、低いセグメント電圧64と高いセグメント電圧62とを含む。フロントポーチ1020およびバックポーチ1022は、セグメント遷移と書込みパルスのエッジとの間に遅延を導入するために設けられ得る。回路の構成要素のキャパシタンス結合などによる、セグメント遷移中のコモンライン電位の波形ひずみのために、遅延は有用であり得る。
【００５４】
図9に示した例では、フロントポーチ1020およびバックポーチ1022が高い保持電圧72に対応し、書込みパルス1024が高いアドレス電圧74に対応するように、ディスプレイを駆動するために正極性が仮定される。図5Bに示すように、波形はまた負極性をも有し得る。負極性波形では、(図5Bに示すように)フロントポーチ1020およびバックポーチ1022が低い保持電圧76に対応し、書込みパルス1024が低いアドレス電圧78に対応する。
【００５５】
以下のTable  1(表1)は、1,152本のコモンラインを有するディスプレイを駆動するための一実施態様における異なるフレームレートに対応する、フロントポーチ1020持続時間、書込みパルス1024持続時間、およびバックポーチ1022持続時間の例を示す。
【００５６】
【表１】
2014531057.tif 000003
【００５７】
Table  1(表1)に示すように、15Hzのフレームレートでは、フロントポーチ1020が8μsに設定され得、書込みパルス1024が40μsに設定され得、バックポーチ1022が8μsに設定され得、合計ライン時間60が56μsとなる。代替的に、6.7Hzのフレームレートでは、フロントポーチ1020が12μsに設定され得、書込みパルス1024が70μsに設定され得、バックポーチ1022が47μsに設定され得、合計ライン時間60が129μsとなる。
【００５８】
フロントポーチ1020は、セグメントライン遷移の後で、書込みパルス1024の印加より前に、すべてのセグメントラインがそれらの新しい状態に落ち着くために十分な時間を与えるように設定され得る。同様に、バックポーチ1022は、後続のセグメントライン遷移より前に、書込みパルス1024が保持状態に落ち着くことができるように設けられ得る。書込みパルス時間1024の持続時間は、書込みパルス1024によって作動されるべきであるセグメントライン上のディスプレイ要素の作動を可能にするために十分な時間を与える。
【００５９】
たとえば、ディスプレイ要素に接続された複数のコモンラインと複数の交差するセグメントラインとを有する、ディスプレイ要素のアレイを駆動することにおいて、ディスプレイへのデータの書込みにおけるクロストークを低減するために、アレイ中のコモンラインに沿ったセグメントライン遷移には時差が付けられ(staggered)得る。クロストークは、多数のセグメントラインが新しいライン時間の開始時に同相で遷移されるときに起こり得る。セグメントラインが、一般に前のラインに書き込まれたデータとは異なるデータであるデータを新しいラインへ書き込むために切り替えられているという事実のために、セグメントが-Vsから+Vsへ(または、+Vsから-Vsへ)切り替わっているとき、セグメントライン上の電荷量の急激な変化が引き起こされる。これによって、コモンライン上の電圧過渡現象が引き起こされ、1つまたは複数のコモン電極に沿った潜在的に望ましくない電圧レベルにつながり得る。結果として、遷移するセグメントラインのクロストークのために、前に作動していたディスプレイ要素が誤って開放され得る。
【００６０】
図10Aは、この問題を低減するために、いくつかの実施態様で使用され得る時差セグメントライン遷移をもつ例示的な波形1800である。セグメント遷移には、ライン時間60の開始から時差が付けられる。図10Aに示すように、セグメントラインは、第1〜第3のセグメントライングループにグループ化される。各グループ内で、セグメントラインは、互いに同相で遷移するように構成される。セグメントラインの各グループは、セグメントラインの他のグループと違相で遷移するように構成される(たとえば、図10Aに示すように、前のグループから遅延される)。このことは、セグメント電極とコモン電極との間であるクロストークを引き起こす、あるラインから次のラインへの多数のセグメント遷移があるいくつかの画像では、有用であり得る。時差を付けることで、クロストークが低減され、セグメント遷移がコモンライン波形に対して有する影響が低減される。図10Aに示すように、フロントポーチ1020の持続時間は、すべての時差セグメントライングループが書込みパルス1024より前に遷移するために十分な時間を与えるように設定され得る。図10Aは、3つの時差的グループを示すが、一実施態様では、計3072本のセグメントラインがあり、それらのセグメントラインが、各グループに384本のセグメントラインがある8個の時差的グループにグループ化される。各グループの遷移間に約1マイクロ秒の遅延があり、上記のTable  1(表1)の8マイクロ秒のフロントポーチが生じる。この実施態様では、わずか384本のセグメントラインが同時に遷移するべきであり、このことは、コモンライン上で許容可能な程度に小さい電圧過渡現象を引き起こすことがわかっている。
【００６１】
いくつかの実施態様では、クロストークを低減するために、予備放電セグメント波形が使用され得る。図10Bは、いくつかの実施態様で使用され得る予備放電波形を含むセグメント遷移の例示的な波形1802である。図10Bに示す予備放電セグメント波形では、+Vsと-Vsとの間で切り替わるセグメントが、短い持続時間の間に接地に行き得る(たとえば、短い持続時間の間、接地するために+Vs、次いで-Vsへ)。そのような予備放電波形は、より長い期間にわたるセグメント遷移のために電荷注入を広げ、それによってコモンライン波形へのセグメントライン遷移の干渉を低減するために使用され得る。さらに、予備放電波形は、ある程度の電荷をドライバの接地線上にダンプすることによって有用であり得、そこで、予備放電波形なしには、電荷のすべてがVspまたはVsnライン上にダンプされることになり、それらのラインを駆動するためにさらなる電力が必要となり、また、クロストークが増すことになる。この実施態様では、フロントポーチ1020の持続時間は、すべてのセグメントラインが完全な予備放電波形を通して遷移するために十分な時間を与えるように設定され得る。
【００６２】
書込みパルス1024の持続時間は、コモンラインに接続されたすべてのディスプレイ要素に書き込むために適切な電荷を与えるように設定され得る。作動位置におけるディスプレイ要素は、非作動状態におけるディスプレイ要素よりも高いキャパシタンスを示す。図9を参照しながら上記で説明したように、クリアリングパルス70は、コモンラインに沿ったディスプレイ要素に画像データを書き込むより前に、コモンラインに印加され得る。クリアリングパルス70は、画像データを書き込むより前に、コモンラインに沿ったディスプレイ要素を非作動状態または緩和状態へ遷移させるように構成される。画像データの書込みにおいて、第2の数のディスプレイ要素遷移が第1の数のディスプレイ要素遷移よりも少ない場合、第2の数のディスプレイ要素が非作動状態から作動へ遷移されるときと比較して、第1の数のディスプレイ要素が非作動状態から作動状態へ遷移されるとき、より大きいキャパシタンスが駆動ラインに接続される。結果として、より大きいキャパシタンスのために、より多くのディスプレイ要素が非作動状態(たとえば、クリアサイクル70後の状態)から作動状態へ遷移されるとき、より大きい電荷がドライバから供給されなければならない。従来の技法による書込みパルス1024の持続時間は、ディスプレイ要素のラインに書き込むとき、コモンラインに沿った潜在的にすべてのディスプレイ要素が非作動状態から作動状態へ遷移されることになるという仮定に基づく。
【００６３】
バックポーチの持続時間は、セグメントが次のラインのための新しいデータへ遷移するとき、前に書き込まれたライン中の作動しているディスプレイ要素の偶発的な開放を低減または防止するように選択され得る。この偶発的な開放は、前のラインのための書込みパルスの終了と、直後のラインに書き込むために起こるセグメント遷移との間に不十分な遅延がある場合、起こり得る。たとえば、図9を参照すると、コモンライン1の書込みパルス74の極めて直後にセグメントライン(たとえば、セグメントライン2)が遷移する場合、コモンライン1に沿ったディスプレイ要素は、書込みパルス74の後で偶発的に開放され得る。セグメントライン2およびコモンライン1に対応するディスプレイ要素が、書込みパルス74の直後に、まだ完全に機械的に作動状態に安定化されているとは限らないので、低いセグメント電圧64から高いセグメント電圧62へのセグメントライン2の遷移は、ディスプレイ要素を偶発的に開放させ得る。ディスプレイ要素は、作動された直後に過渡電圧スイングに極めて敏感であるので、セグメント遷移が起こらず、図10Aに示す第1の時差的グループの遷移すら起こらない、各書込みパルス1024の終了の後にくる期間を維持することが有用であることがわかっている。
【００６４】
バックポーチは、ディスプレイ中の他のコモンラインに対するよりも、いくつかのコモンラインに対する適切なディスプレイ要素動作にとって重要であることに、さらに留意されたい。複数のセグメントラインと交差する複数のコモンラインを有するディスプレイ要素のアレイでは、様々なコモンラインが、複数のセグメントラインに接続されたセグメントドライバから様々な距離に位置する。セグメントドライバからの距離の差の結果として、セグメントドライバがセグメントラインの状態を変化させるとき、遷移は、セグメントドライバに最も近いコモンラインで最も急激である。セグメントラインの長さに沿ったインピーダンスのために、電圧の立上り時間は、セグメントドライバから離れたディスプレイの遠端においてより長くなる。結果として、セグメントラインは、セグメントドライバからより遠いディスプレイ要素に対してよりも、セグメントドライバにより近いディスプレイ要素に対して、より鋭くより急激な遷移を示す。セグメントドライバに近い、より鋭い遷移により、セグメントライン遷移は、コモンライン上でより大きい過渡現象を引き起こし、セグメントドライバからより遠いディスプレイ要素と比較して、作動状態へ遷移しているセグメントドライバにより近いディスプレイ要素の偶発的な開放をより引き起こし得る。したがって、長いバックポーチ1022は、セグメントドライバからより遠いコモンラインと比較して、セグメントドライバにより近いコモンラインにとってより重要である。
【００６５】
従来は、同じフロントポーチ1020持続時間、バックポーチ1022持続時間、および書込みパルス1024持続時間が、アレイの両端間のあらゆるコモンラインのために使用される。そのような実施態様では、あらゆるコモンラインのために使用されるフロントポーチ1020持続時間は、全体的な最大フロントポーチ1020持続時間である。さらに、あらゆるコモンラインのために使用されるバックポーチ1022持続時間は、全体的な最大バックポーチ1022持続時間である。加えて、使用される書込みパルス1024持続時間は、全体的な最大書込みパルス1024持続時間である。これらの従来の実施態様においてあらゆるコモンラインのために使用されるライン時間は、したがって、max(FP)+max(WP)+max(BP)である。
【００６６】
上記で説明したように、ディスプレイのフレームレートは、ライン時間に反比例し、ライン時間が増すにつれて、フレームレートが下がるようになる。ライン時間は、フロントポーチ1020、バックポーチ1022、および書込みパルス1024の結合された時間を含むので、フロントポーチ1020、バックポーチ1022、および/または書込みパルス1024を低減することで、ディスプレイのためのより高速なフレームレートが生じることになる。
【００６７】
いくつかの実施態様によれば、ライン持続時間(たとえば、フロントポーチ1020、バックポーチ1022、および/または書込みパルス1024の和)は、ディスプレイ要素のアレイに書き込まれるべきデータに基づいて調整され得る。この技法を使用して、書き込まれているデータの性質によるエラーなしにより高速に書き込まれ得るコモンラインに接続されたディスプレイ要素は、より高速に書き込まれ、したがって、データのフレームを書き込むために必要とされる合計時間が低減される。
【００６８】
図11は、いくつかの実施態様によるディスプレイにデータを書き込む方法のフローチャートである。方法1100は、ブロック1102に示すように、画像データを受信することを含む。ブロック1104で、1つまたは複数のコモンラインに沿ったディスプレイ要素の書込み作動状態と、1つまたは複数のコモンラインに沿ったディスプレイ要素に画像データを書き込むことにおける、セグメントライン遷移の特性とのうちの1つに少なくとも部分的に基づいて、ライン時間が決定される。たとえば、フロントポーチ1020およびバックポーチ1022は、ディスプレイにデータを書き込むことにおいて起こっているセグメントライン遷移の数に基づいて設定され得る。
【００６９】
フロントポーチ設定では、セグメントが前のラインに書き込むために設定されることから、現在のラインに書き込むために設定されることへ切り替えられるときに起こることになる、セグメントライン遷移の特性に少なくとも部分的に基づいて、時差的グループの数が低減され得る。たとえば、比較的少数のセグメント遷移が起こっている場合、時差的グループの数が低減され得る。たとえば、図10Aを参照しながら上記で説明した実施態様が使用される場合、かつ3072本のセグメントラインのうちの650本が遷移中である場合、セグメントラインが2つのグループに分割され得、各々が遷移中のラインのうちの325本を含む。8個ではなく2つの時差的グループがあるので、フロントポーチは、このラインに書き込むための通常の8マイクロ秒ではなく、1または2マイクロ秒の近くまで低減され得る。セグメントラインが切り替わっていない場合(たとえば、コモンラインに沿ったディスプレイ要素、および直前のコモンラインに沿ったディスプレイ要素に、同じデータが書き込まれる場合)、フロントポーチはまったく必要ではない。いくつかの実施態様では、時差的グループの数は、反対方向におけるセグメントライン遷移の数に対する、ある方向におけるセグメントライン遷移の数の比較に基づいて決定され得る。たとえば、正極性から負極性へと起こるセグメントライン遷移の数と、負極性から正極性へと起こるセグメントライン遷移の数とが、実質的に等しい場合、時差的グループの数が低減され得る。
【００７０】
バックポーチを設定するために、次のラインに書き込むためにセグメントラインを準備するときに起こることになるセグメント遷移の数が検討される。次のラインのために起こることになる遷移が少ない場合、または、遷移が2つの遷移方向間に比較的均等に分散している場合、バックポーチが短縮され得る。次のラインに書き込むためにセグメントが切り替わらない場合(たとえば、コモンラインに沿ったディスプレイ要素、および直後のコモンラインに沿ったディスプレイ要素に、同じデータが書き込まれる場合)、バックポーチは完全に除去され得る。ディスプレイに書き込まれるべき画像に対応するデータが処理されて、アレイにデータを書き込むことにおいて起こることになるセグメント遷移の数が決定され得る。
【００７１】
さらに、非作動状態から作動状態へ遷移されることになるディスプレイ要素の数は、ディスプレイ要素のラインに書き込まれるべきデータに基づいて決定され得る。たとえば、上記で説明したように、特定のコモンラインに沿ったディスプレイ要素は、最初に、クリアリングパルス70を使用して非作動状態へ遷移され得る。特定のコモンラインに対応するデータが解析されて、データがディスプレイ要素のラインに書き込まれるときに作動位置へ遷移されることになるディスプレイ要素の数が決定され得る。書込みサイクル中に作動されることになるディスプレイ要素が少ないほど、書込みパルス1024が短くなり得る。すべてのディスプレイ要素が非作動のままになる場合、書込みパルスはまったく必要とされず、その理由は、クリアサイクルがすでにディスプレイ要素をそのラインのための所望の状態に設定しているからである。
【００７２】
ブロック1106で、1つまたは複数のコモンラインに沿って、決定されたライン時間を使用して、画像データがディスプレイ要素に書き込まれる。いくつかの実施態様では、ライン時間が、特定のコモンラインに沿ったディスプレイ要素について決定され得、データが、決定されたライン時間を使用して、特定のコモンラインに沿ったディスプレイ要素に書き込まれ得る。いくつかの実施態様では、ライン時間が、第1のコモンラインに沿ったディスプレイ要素について決定され得、決定されたライン時間が、第2のコモンラインに沿ったディスプレイ要素にデータを書き込むために使用され得る。たとえば、コモンラインのグループの中で最も長い持続時間を有するライン時間が、コモンラインのグループ中の各コモンラインにデータを書き込むために使用され得る。いくつかの実施態様では、コモンラインのグループについて決定されたライン時間の平均値が、同じグループのコモンラインに沿ったディスプレイ要素にデータを書き込むために使用され得る。
【００７３】
図12は、いくつかの実施態様によるディスプレイにデータを書き込む別の方法のフローチャートである。方法1200は、ブロック1202に示すように、現在のコモンラインにデータを書き込むための画像データを受信することを含む。コモンラインは、ディスプレイ要素のアレイ中でディスプレイ要素のラインに接続される。ブロック1204で、現在のコモンラインに沿ったディスプレイ要素に画像データを書き込むためのセグメントライン遷移の特性が、現在のコモンラインのための画像データと、前のコモンラインのための画像データとに基づいて決定され得る。たとえば、いくつかの実施態様では、順次データ書込み動作の場合、遷移されることになるセグメントラインの数は、ディスプレイ要素の現在のラインに書き込まれるべきデータと比較して、ディスプレイ要素の前のラインに書き込まれたデータに基づく。データのフレームの第1のラインでは、前のラインは、前のフレームに対して書き込まれた最後のラインであり得る。さらに、セグメントライン遷移の数はまた、ディスプレイ要素の前のラインに印加されたコモンライン波形の極性と、画像データを書き込むためにディスプレイ要素の現在のラインに印加されたコモンライン波形の極性とに基づき得る。たとえば、第1のコモンラインに沿ったディスプレイ要素と、第2のコモンラインに沿ったディスプレイ要素とに、等しいデータを順次書き込むことにおいて、コモンライン波形の極性は、セグメントラインのいずれかが遷移されることになるかどうかを決定することになる。すなわち、第1のコモンラインに印加された波形が、第2のコモンラインに印加された波形に対して反対の極性を有する場合、作動されるべきである第2のコモンラインに沿ったディスプレイ要素に対応するセグメントラインが、第2のコモンラインに沿ったディスプレイ要素に画像データを書き込むために、遷移されることになる。いくつかの実施態様では、フロントポーチ1020およびバックポーチ1022は、図11を参照しながら上記で説明したように、ディスプレイにデータを書き込むことにおいて最も長い可能な時差時間(stagger  time)ではなく、同相で遷移されるセグメントラインの実際の数に対応する時差の量(amount  of  stagger)に基づいて設定され得る。
【００７４】
ブロック1205で、直後のコモンラインに沿ったディスプレイ要素に画像データを書き込むために、セグメントライン遷移の特性が、後続のコモンラインのための画像データと、現在のコモンラインのための画像データとに基づいて決定される。たとえば、ディスプレイ要素の後続のラインのためのセグメントライン遷移の数は、ディスプレイ要素の現在のライン中で作動状態へ遷移されたディスプレイ要素に影響を及ぼし得る。したがって、いくつかの実施態様によれば、バックポーチ1022は、後続のラインにデータを書き込むためのセグメントラインの遷移より前に、現在のラインに沿ったディスプレイ要素が機械的に安定化するために十分な時間を与えるために、後続のコモンラインに画像データを書き込むために遷移されることになる、セグメントラインの数に少なくとも部分的に基づいて決定され得る。ブロック1206で、作動状態へ遷移されるべきである現在のコモンラインに沿ったディスプレイ要素の数が決定される。一例によれば、書込みパルス1024持続時間は、現在のコモンラインに書き込まれるべきディスプレイデータに基づいて、非作動状態から作動状態へ遷移することになるディスプレイ要素の数に少なくとも部分的に基づいて設定され得る。上記で説明したように、書込みパルス1024持続時間は、遷移するディスプレイ要素の数と、コモンラインに沿って生じたキャパシタンス変化および電荷漏洩とに基づいて設定され得る。
【００７５】
ブロック1208で、現在のコモンラインに画像データを書き込むためのフロントポーチ1020持続時間、バックポーチ1022持続時間、および書込みパルス1024持続時間のうちの1つまたは複数を含む、波形パラメータが、ブロック1204、1205、および1206のうちの1つまたは複数の決定に少なくとも部分的に基づいて計算される。ブロック1210で、計算された波形パラメータに基づいて、現在のコモンラインに沿ったディスプレイ要素に、データが書き込まれる。
【００７６】
上記で説明したように、ディスプレイ要素のラインに接続されたコモンラインに画像データを書き込むためのライン時間は、ディスプレイ要素に書き込まれるべき画像データに基づいて決定され得る。いくつかの実施態様では、非作動状態から作動位置へ遷移されることになるディスプレイ要素の数と、起こることになるセグメントライン遷移の数とを決定するために、画像データが解析される。いくつかの実施態様では、ディスプレイ要素の色、および、アレイ中のコモンラインのロケーションなど、他のファクタもまた、ライン時間を決定するために使用され得る。
【００７７】
たとえば、異なる色を呈するディスプレイ要素は異なる特性を有するので、書込みパルス1024の印加に対する異なる応答時間を有することがあり、異なる最小書込みパルス1024持続時間を必要とし得る。同様に、異なる色のディスプレイ要素に適したフロントポーチ1020およびバックポーチ1022は、ディスプレイ要素の色に依存し得る。いくつかの実施態様では、異なる色のディスプレイ要素の行は、異なる書込み波形ライン時間に対応する駆動信号で駆動される。各色のディスプレイ要素の行のライン時間は、特定の色の特性、ならびに特定の色のディスプレイ要素の対応する物理的構造および応答時間に基づいて構成され得る。
【００７８】
たとえば、アレイ中で青色ディスプレイ要素のみを有するラインのためのライン時間は、アレイ中の緑色ディスプレイ要素のためのライン時間未満であり得る。緑色ディスプレイ要素を含む行は、赤色ディスプレイ要素のある行よりも長いライン時間で構成され得る。同様に、赤色ディスプレイ要素の行は、青色ディスプレイ要素の行よりも長いライン時間を有するように構成され得る。
【００７９】
さらに、いくつかの実施態様では、ライン時間はまた、セグメントドライバに対するディスプレイ要素のラインの位置に基づいて決定され得る。たとえば、セグメント遷移は、セグメントドライバにより近いコモンラインに対してよりすぐに起こるので、いくつかの実施態様では、バックポーチ1022持続時間は、セグメントドライバにより近いコモンラインに対して比較的長く設定され得る。
【００８０】
図13Aおよび図13Bは、複数の干渉変調器を含むディスプレイデバイス40を示すシステムブロック図の例を示している。ディスプレイデバイス40は、たとえば、セルラー電話または携帯電話であり得る。ただし、ディスプレイデバイス40の同じ構成要素またはディスプレイデバイス40の軽微な変形も、テレビジョン、電子リーダーおよびポータブルメディアプレーヤなど、様々なタイプのディスプレイデバイスを示す。
【００８１】
ディスプレイデバイス40は、ハウジング41と、ディスプレイ30と、アンテナ43と、スピーカー45と、入力デバイス48と、マイクロフォン46とを含む。ハウジング41は、射出成形および真空成形を含む様々な製造プロセスのうちのいずれかから形成され得る。さらに、ハウジング41は、限定はしないが、プラスチック、金属、ガラス、ゴム、およびセラミック、またはそれらの組合せを含む、様々な材料のうちのいずれかから製作され得る。ハウジング41は、異なる色の、または異なるロゴ、ピクチャ、もしくはシンボルを含んでいる、他の取外し可能な部分と交換され得る、取外し可能な部分(図示せず)を含むことができる。
【００８２】
ディスプレイ30は、本明細書で説明する、双安定またはアナログディスプレイを含む様々なディスプレイのうちのいずれかであり得る。ディスプレイ30はまた、プラズマ、EL、OLED、STN  LCD、またはTFT  LCDなど、フラットパネルディスプレイ、あるいはCRTまたは他の管デバイスなど、非フラットパネルディスプレイを含むように構成され得る。さらに、ディスプレイ30は、本明細書で説明する干渉変調器ディスプレイを含むことができる。
【００８３】
ディスプレイデバイス40の構成要素は図13Bに概略的に示されている。ディスプレイデバイス40は、ハウジング41を含み、それの中に少なくとも部分的に密閉された追加の構成要素を含むことができる。たとえば、ディスプレイデバイス40は、トランシーバ47に結合されたアンテナ43を含むネットワークインターフェース27を含む。トランシーバ47はプロセッサ21に接続され、プロセッサ21は調整ハードウェア52に接続される。調整ハードウェア52は、信号を調整する(たとえば、信号をフィルタ処理する)ように構成され得る。調整ハードウェア52は、スピーカー45およびマイクロフォン46に接続される。プロセッサ21は、入力デバイス48およびドライバコントローラ29にも接続される。ドライバコントローラ29は、フレームバッファ28に、およびアレイドライバ22に結合され、アレイドライバ22は次にディスプレイアレイ30に結合される。電源50が、特定のディスプレイデバイス40設計によって必要とされるすべての構成要素に電力を与えることができる。
【００８４】
ネットワークインターフェース27は、ディスプレイデバイス40がネットワークを介して1つまたは複数のデバイスと通信することができるように、アンテナ43とトランシーバ47とを含む。ネットワークインターフェース27はまた、たとえば、プロセッサ21のデータ処理要件を軽減するための、何らかの処理能力を有し得る。アンテナ43は信号を送信および受信することができる。いくつかの実施態様では、アンテナ43は、IEEE16.11(a)、(b)、または(g)を含むIEEE16.11規格、あるいはIEEE802.11a、b、gまたはnを含むIEEE802.11規格に従って、RF信号を送信および受信する。いくつかの他の実施態様では、アンテナ43は、BLUETOOTH（登録商標）規格に従ってRF信号を送信および受信する。セルラー電話の場合、アンテナ43は、3Gまたは4G技術を利用するシステムなどのワイヤレスネットワーク内で通信するために使用される、符号分割多元接続(CDMA)、周波数分割多元接続(FDMA)、時分割多元接続(TDMA)、Global  System  for  Mobile  communications(GSM(登録商標))、GSM（登録商標）/General  Packet  Radio  Service(GPRS)、Enhanced  Data  GSM（登録商標）  Environment(EDGE)、Terrestrial  Trunked  Radio(TETRA)、広帯域CDMA(W-CDMA(登録商標))、Evolution  Data  Optimized(EV-DO)、1xEV-DO、EV-DO  Rev  A、EV-DO  Rev  B、高速パケットアクセス(HSPA)、高速ダウンリンクパケットアクセス(HSDPA)、高速アップリンクパケットアクセス(HSUPA)、発展型高速パケットアクセス(HSPA+)、Long  Term  Evolution(LTE)、AMPS、または他の知られている信号を受信するように設計される。トランシーバ47は、アンテナ43から受信された信号がプロセッサ21によって受信され、プロセッサ21によってさらに操作され得るように、その信号を前処理することができる。トランシーバ47はまた、プロセッサ21から受信された信号がアンテナ43を介してディスプレイデバイス40から送信され得るように、その信号を処理することができる。
【００８５】
いくつかの実施態様では、トランシーバ47は受信機によって置き換えられ得る。さらに、ネットワークインターフェース27は、プロセッサ21に送られるべき画像データを記憶または生成することができる画像ソースによって置き換えられ得る。プロセッサ21は、ディスプレイデバイス40の全体的な動作を制御することができる。プロセッサ21は、ネットワークインターフェース27または画像ソースから圧縮された画像データなどのデータを受信し、そのデータを生画像データに、または生画像データに容易に処理されるフォーマットに、処理する。プロセッサ21は、処理されたデータをドライバコントローラ29に、または記憶のためにフレームバッファ28に送ることができる。生データは、一般に、画像内の各ロケーションにおける画像特性を識別する情報を指す。たとえば、そのような画像特性は、色、飽和、およびグレースケールレベルを含むことができる。フレームバッファ28は、プロセッサ21によるアクセスのために、前の書込み動作に対応する処理済み画像データ(たとえば、ディスプレイ要素の1つまたは複数の前のラインに対応する画像データ)を記憶するように構成され得る。プロセッサ21は、ディスプレイ要素のラインに現在の画像データを書き込むためのライン時間を決定するために、前の画像データを取り出すように構成され得る。
【００８６】
プロセッサ21は、ディスプレイデバイス40の動作を制御するためのマイクロコントローラ、CPU、または論理ユニットを含むことができる。調整ハードウェア52は、スピーカー45に信号を送信するための、およびマイクロフォン46から信号を受信するための、増幅器およびフィルタを含み得る。調整ハードウェア52は、ディスプレイデバイス40内の個別構成要素であり得、あるいはプロセッサ21または他の構成要素内に組み込まれ得る。
【００８７】
ドライバコントローラ29は、プロセッサ21によって生成された生画像データをプロセッサ21から直接、またはフレームバッファ28から取ることができ、アレイドライバ22への高速送信のために適宜に生画像データを再フォーマットすることができる。いくつかの実施態様では、ドライバコントローラ29は、生画像データを、ラスタ様フォーマットを有するデータフローに再フォーマットすることができ、その結果、そのデータフローは、ディスプレイアレイ30にわたって走査するのに好適な時間順序を有する。さらに、ドライバコントローラ29は、図12および図13を参照しながら上記で説明したように、ディスプレイ要素のラインに画像データを書き込むためのライン時間を決定するように構成され得る。次いで、ドライバコントローラ29は、フォーマットされた情報をアレイドライバ22に送る。LCDコントローラなどのドライバコントローラ29は、しばしば、スタンドアロン集積回路(IC)としてシステムプロセッサ21に関連付けられるが、そのようなコントローラは多くの方法で実施され得る。たとえば、コントローラは、ハードウェアとしてプロセッサ21中に埋め込まれるか、ソフトウェアとしてプロセッサ21中に埋め込まれるか、またはハードウェアにおいてアレイドライバ22と完全に一体化され得る。さらに、ドライバコントローラ29は、ドライバコントローラ29によるアクセスのために、前の書込み動作に対応するフォーマット済み画像データ(たとえば、ディスプレイ要素の1つまたは複数の前のラインに対応する画像データ)を記憶するように構成された、関連メモリ(図示せず)を含み得る。ドライバコントローラ29は、ディスプレイ要素のラインに現在の画像データを書き込むためのライン時間を決定するために、前のフォーマット済み画像データを取り出すように構成され得る。
【００８８】
アレイドライバ22は、ドライバコントローラ29からフォーマットされた情報を受信することができ、ビデオデータを波形の並列セットに再フォーマットすることができ、波形の並列セットは、ディスプレイのピクセルのx-y行列から来る、数百の、および時には数千の(またはより多くの)リード線に毎秒何回も適用される。
【００８９】
いくつかの実施態様では、ドライバコントローラ29、アレイドライバ22、およびディスプレイアレイ30は、本明細書で説明するディスプレイのタイプのうちのいずれにも適している。たとえば、ドライバコントローラ29は、従来のディスプレイコントローラまたは双安定ディスプレイコントローラ(たとえば、IMODコントローラ)であり得る。さらに、アレイドライバ22は、従来のドライバまたは双安定ディスプレイドライバ(たとえば、IMODディスプレイドライバ)であり得る。その上、ディスプレイアレイ30は、従来のディスプレイアレイまたは双安定ディスプレイアレイ(たとえば、IMODのアレイを含むディスプレイ)であり得る。いくつかの実施態様では、ドライバコントローラ29はアレイドライバ22と一体化され得る。そのような実施態様は、セルラーフォン、ウォッチおよび他の小面積ディスプレイなどの高集積システムでは一般的である。
【００９０】
いくつかの実施態様では、入力デバイス48は、たとえば、ユーザがディスプレイデバイス40の動作を制御することを可能にするように、構成され得る。入力デバイス48は、QWERTYキーボードまたは電話キーパッドなどのキーパッド、ボタン、スイッチ、ロッカー、タッチセンシティブスクリーン、あるいは感圧膜または感熱膜を含むことができる。マイクロフォン46は、ディスプレイデバイス40のための入力デバイスとして構成され得る。いくつかの実施態様では、ディスプレイデバイス40の動作を制御するために、マイクロフォン46を介したボイスコマンドが使用され得る。
【００９１】
電源50は、当技術分野でよく知られている様々なエネルギー蓄積デバイスを含むことができる。たとえば、電源50は、ニッケルカドミウムバッテリーまたはリチウムイオンバッテリーなどの充電式バッテリーであり得る。電源50はまた、再生可能エネルギー源、キャパシタ、あるいはプラスチック太陽電池または太陽電池塗料を含む太陽電池であり得る。電源50はまた、壁コンセントから電力を受け取るように構成され得る。
【００９２】
いくつかの実施態様では、制御プログラマビリティがドライバコントローラ29中に存在し、これは電子ディスプレイシステム中のいくつかの場所に配置され得る。いくつかの他の実施態様では、制御プログラマビリティがアレイドライバ22中に存在する。上記で説明した最適化は、任意の数のハードウェアおよび/またはソフトウェア構成要素において、ならびに様々な構成において実施され得る。
【００９３】
本明細書で開示する実施態様に関して説明した様々な例示的な論理、論理ブロック、モジュール、回路、およびアルゴリズムステップは、電子ハードウェア、コンピュータソフトウェア、または両方の組合せとして実施され得る。ハードウェアとソフトウェアの互換性が、概して機能に関して説明され、上記で説明した様々な例示的な構成要素、ブロック、モジュール、回路およびステップにおいて示された。そのような機能がハードウェアで実施されるか、ソフトウェアで実施されるかは、特定の適用例および全体的なシステムに課された設計制約に依存する。
【００９４】
本明細書で開示する態様に関して説明した様々な例示的な論理、論理ブロック、モジュール、および回路を実施するために使用される、ハードウェアおよびデータ処理装置は、汎用シングルチップまたはマルチチッププロセッサ、デジタル信号プロセッサ(DSP)、特定用途向け集積回路(ASIC)、フィールドプログラマブルゲートアレイ(FPGA)または他のプログラマブル論理デバイス、個別ゲートまたはトランジスタ論理、個別ハードウェア構成要素、あるいは本明細書で説明した機能を実行するように設計されたそれらの任意の組合せを用いて実施または実行され得る。汎用プロセッサは、マイクロプロセッサ、あるいは任意の従来のプロセッサ、コントローラ、マイクロコントローラ、または状態機械であり得る。プロセッサは、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実施することもできる。いくつかの実施態様では、特定のステップおよび方法が、所与の機能に固有である回路によって実行され得る。
【００９５】
1つまたは複数の態様では、説明した機能は、本明細書で開示する構造を含むハードウェア、デジタル電子回路、コンピュータソフトウェア、ファームウェア、およびそれらの上記構造の構造的等価物において、またはそれらの任意の組合せにおいて実施され得る。また、本明細書で説明した主題の実施態様は、1つまたは複数のコンピュータプログラムとして、すなわち、データ処理装置が実行するためにコンピュータ記憶媒体上に符号化された、またはデータ処理装置の動作を制御するための、コンピュータプログラム命令の1つまたは複数のモジュールとして、実施され得る。
【００９６】
ソフトウェアで実施する場合、機能は、1つまたは複数の命令またはコードとしてコンピュータ可読媒体上に記憶するか、あるいはコンピュータ可読媒体を介して送信することができる。本明細書で開示された方法またはアルゴリズムのステップは、コンピュータ可読媒体上に存在し得る、プロセッサ実行可能ソフトウェアモジュールで実施され得る。コンピュータ可読媒体は、ある場所から別の場所にコンピュータプログラムを転送することを可能にされ得る任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態で所望のプログラムコードを記憶するために使用され得、コンピュータによってアクセスされ得る、任意の他の媒体を含み得る。また、いかなる接続もコンピュータ可読媒体と適切に呼ぶことができる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピー（登録商標）ディスク(disk)およびブルーレイディスク(disc)を含み、ディスク(disk)は、通常、データを磁気的に再生し、ディスク(disc)は、データをレーザーで光学的に再生する。上記の組合せもコンピュータ可読媒体の範囲内に含めるべきである。さらに、方法またはアルゴリズムの動作は、コンピュータプログラム製品に組み込まれ得る、機械可読媒体およびコンピュータ可読媒体上のコードおよび命令の、1つまたは任意の組合せまたはセットとして存在し得る。
【００９７】
本開示で説明した実施態様への様々な修正は当業者には容易に明らかであり得、本明細書で定義した一般原理は、本開示の趣旨または範囲から逸脱することなく他の実施態様に適用され得る。したがって、特許請求の範囲は、本明細書で示した実施態様に限定されるものではなく、本開示と、本明細書で開示する原理および新規の特徴とに一致する、最も広い範囲を与られるべきである。「例示的」という単語は、本明細書ではもっぱら「例、事例、または例示の働きをすること」を意味するために使用される。本明細書に「例示的」と記載されたいかなる実施態様も、必ずしも他の実施態様よりも好ましいまたは有利であると解釈されるべきではない。さらに、「上側」および「下側」という用語は、図の説明を簡単にするために時々使用され、適切に配向されたページ上の図の配向に対応する相対位置を示すが、実施されたIMODの適切な配向を反映しないことがあることを、当業者は容易に諒解されよう。
【００９８】
また、別個の実施態様に関して本明細書で説明されたいくつかの特徴は、単一の実施態様において組合せで実施され得る。また、逆に、単一の実施態様に関して説明した様々な特徴は、複数の実施態様において別個に、あるいは任意の好適な部分組合せで実施され得る。その上、特徴は、いくつかの組合せで働くものとして上記で説明され、初めにそのように請求されることさえあるが、請求される組合せからの1つまたは複数の特徴は、場合によってはその組合せから削除され得、請求される組合せは、部分組合せ、または部分組合せの変形形態を対象とし得る。
【００９９】
同様に、動作は特定の順序で図面に示されているが、これは、望ましい結果を達成するために、そのような動作が、示される特定の順序でまたは順番に実行されることを、あるいはすべての図示の動作が実行されることを必要とするものとして理解されるべきでない。さらに、図面は、流れ図の形態でもう1つの例示的なプロセスを概略的に示し得る。ただし、図示されていない他の動作が、概略的に示される例示的なプロセスに組み込まれ得る。たとえば、1つまたは複数の追加の動作が、図示の動作のうちのいずれかの前に、後に、同時に、またはそれの間で、実行され得る。いくつかの状況では、マルチタスキングおよび並列処理が有利であり得る。その上、上記で説明した実施態様における様々なシステム構成要素の分離は、すべての実施態様においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実施態様が以下の特許請求の範囲内に入る。場合によっては、特許請求の範囲に記載の行為は、異なる順序で実行され、依然として望ましい結果を達成することができる。
【符号の説明】
【０１００】
12  干渉変調器、IMOD、ピクセル
13、15  光
14  可動反射層、層、反射層
14a  反射副層、伝導性層、副層
14b  支持層、誘電支持層、副層
14c  伝導性層、副層
16  光学スタック、層
16a  吸収層、光吸収体、副層、導体/吸収体副層
16b  誘電体、副層
18  ポスト、支持体、支持ポスト
19  ギャップ、キャビティ
20  透明基板、基板
21  プロセッサ、システムプロセッサ
22  アレイドライバ
23  ブラックマスク構造、ブラックマスク
24  行ドライバ回路
25  犠牲層、犠牲材料
26  列ドライバ回路
27  ネットワークインターフェース
28  フレームバッファ
29  ドライバコントローラ
30  ディスプレイアレイ、パネル、ディスプレイ
32  テザー
34  変形可能層
35  スペーサ層
40  ディスプレイデバイス
41  ハウジング
43  アンテナ
45  スピーカー
46  マイクロフォン
47  トランシーバ
48  入力デバイス
50  電源
52  調整ハードウェア
60  ライン時間
60a  第1のライン時間、ライン時間
60b  第2のライン時間、ライン時間
60c  第3のライン時間、ライン時間
60d  第4のライン時間、ライン時間
60e  ライン時間、第5のライン時間
62  高いセグメント電圧
64  低いセグメント電圧
70  開放電圧、クリアリングパルス、クリアサイクル
72  高い保持電圧
74  高いアドレス電圧
76  低い保持電圧
78  低いアドレス電圧
1020  フロントポーチ
1022  バックポーチ
1024  書込みパルス
1800、1802  波形
【図１】
2014531057.tif 000004
【図２】
2014531057.tif 000005
【図３】
2014531057.tif 000006
【図４】
2014531057.tif 000007
【図５Ａ】
2014531057.tif 000008
【図５Ｂ】
2014531057.tif 000009
【図６Ａ】
2014531057.tif 000010
【図６Ｂ】
2014531057.tif 000011
【図６Ｃ】
2014531057.tif 000012
【図６Ｄ】
2014531057.tif 000013
【図６Ｅ】
2014531057.tif 000014
【図７】
2014531057.tif 000015
【図８Ａ】
2014531057.tif 000016
【図８Ｂ】
2014531057.tif 000017
【図８Ｃ】
2014531057.tif 000018
【図８Ｄ】
2014531057.tif 000019
【図８Ｅ】
2014531057.tif 000020
【図９】
2014531057.tif 000021
【図１０Ａ】
2014531057.tif 000022
【図１０Ｂ】
2014531057.tif 000023
【図１１】
2014531057.tif 000024
【図１２】
2014531057.tif 000025
【図１３Ａ】
2014531057.tif 000026
【図１３Ｂ】
2014531057.tif 000027
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
ディスプレイ要素のアレイに接続された複数のコモンラインと複数のセグメントラインとを含むディスプレイを駆動するための装置であって、
前記ディスプレイ要素のアレイに書き込まれるべき画像データのフレームの一部として、前記アレイの1つまたは複数のコモンラインのための画像データを受信するように構成されたコントローラであって、前記アレイの前記1つまたは複数のコモンラインのうちの少なくとも第1のものに沿ったディスプレイ要素に、前記画像データの少なくとも一部を書き込むためのライン時間を決定するように構成され、前記決定することは、
前記画像データの前記少なくとも一部によって定義された、前記1つまたは複数のコモンラインのうちの前記少なくとも第1のものに沿った前記ディスプレイ要素中で引き起こされるべき書込み作動状態と、
前記1つまたは複数のコモンラインに前記画像データを書き込むように動作可能な一連の状態に、前記セグメントラインを入れるために起こることになる、セグメントライン遷移の少なくとも一部の特性と
のうちの一方または両方に少なくとも部分的に基づく、コントローラを備え、
前記コントローラは、前記受信された画像データを書き込むときに非作動状態から作動状態へ遷移されるべきである、前記1つまたは複数のコモンラインのうちの前記少なくとも第1のものの上のディスプレイ要素の数に少なくとも部分的に基づいて、書込みパルス持続時間を決定するようにさらに構成され、
前記装置は、前記決定されたライン時間で、前記1つまたは複数のコモンラインのうちの前記少なくとも1つに沿ったディスプレイ要素に、前記画像データの前記少なくとも一部を書き込むように、前記ディスプレイ要素のアレイを駆動するように構成された、コモンドライバとセグメントドライバとを備え、
前記コモンドライバは、最初に、前記1つまたは複数のコモンラインのうちの前記少なくとも第1のものにクリアリングパルスを印加して、前記1つまたは複数のコモンラインのうちの前記少なくとも第1のものに沿った前記ディスプレイ要素を、前記非作動状態へ遷移させるようにさらに構成される装置。
【請求項２】
前記装置が、少なくとも1つの前に書き込まれたコモンラインのための画像データを記憶するように構成されたメモリをさらに備え、前記コントローラが、前記画像データを、前記少なくとも1つの前に書き込まれたコモンラインのための前記画像データと比較するように構成され、前記コントローラが、前記1つまたは複数のコモンラインのうちの前記少なくとも1つに沿った前記ディスプレイ要素に、前記画像データを書き込むように動作可能な状態に、前記セグメントラインを入れるために起こることになる、前記セグメントライン遷移の特性を、前記画像データ比較に少なくとも部分的に基づいて決定するように構成される、請求項1に記載の装置。
【請求項３】
前記装置が、ディスプレイ要素の直後のラインに対応する画像データを記憶するように構成されたメモリをさらに備え、前記コントローラが、前記1つまたは複数のコモンラインのうちの前記少なくとも1つのための前記画像データを、前記ディスプレイ要素の直後のラインに対応する前記画像データと比較して、前記ライン時間を少なくとも部分的に決定するように構成される、請求項1に記載の装置。
【請求項４】
前記コントローラが、前記画像データを書き込むときに使用されるべき波形の極性を、前記少なくとも1つの前に書き込まれたコモンラインに書き込むために使用された前記波形の前記極性と比較するように構成され、前記コントローラが、前記1つまたは複数のコモンラインのうちの前記少なくとも1つに沿った前記ディスプレイ要素に、前記画像データを書き込むように動作可能な状態に、前記セグメントラインを入れるために起こることになる、前記セグメントライン遷移の特性を、前記極性比較に少なくとも部分的に基づいて、少なくとも部分的に決定するように構成される、請求項2に記載の装置。
【請求項５】
前記コントローラが、フロントポーチ持続時間およびバックポーチ持続時間のうちの少なくとも1つを、前記セグメントライン遷移の少なくとも一部の前記特性に少なくとも部分的に基づいて決定するように構成される、請求項1に記載の装置。
【請求項６】
前記コントローラが、前記ライン時間を、前記ディスプレイ要素の色、またはセグメントライン遷移エッジの鋭さに少なくとも部分的に基づいて決定するように構成される、請求項1に記載の装置。
【請求項７】
前記コントローラが、第1のコモンラインに沿ったディスプレイ要素にデータを書き込むための第1のライン時間を決定するように構成され、前記セグメントドライバおよび前記コモンドライバが、前記第1のライン時間を使用して、前記第1のコモンラインに沿ったディスプレイ要素にデータを書き込むように構成され、前記コントローラが、第2のコモンラインに沿ったディスプレイ要素にデータを書き込むための、前記第1のライン時間とは異なる第2のライン時間を決定するように構成され、前記セグメントドライバおよび前記コモンドライバが、前記第2のライン時間を使用して、前記第2のコモンラインに沿ったディスプレイ要素にデータを書き込むように構成される、請求項1に記載の装置。
【請求項８】
前記ディスプレイと通信するように構成され、画像データを処理するように構成されたプロセッサと、
前記プロセッサと通信するように構成されたメモリデバイスと
をさらに備える、請求項1に記載の装置。
【請求項９】
前記プロセッサに前記画像データを送るように構成された画像ソースモジュールであって、受信機、トランシーバ、および送信機のうちの少なくとも1つを含む、画像ソースモジュールをさらに備える、請求項8に記載の装置。
【請求項１０】
前記コントローラが、前記アレイの前記1つまたは複数のコモンラインに沿ったディスプレイ要素に現在の画像データを書き込むための前記ライン時間を、前記1つまたは複数のコモンラインに沿った前記ディスプレイ要素の前記書込み作動状態に基づいて決定するように構成される、請求項1に記載の装置。
【請求項１１】
前記コントローラが、前記アレイの前記1つまたは複数のコモンラインに沿ったディスプレイ要素に現在の画像データを書き込むための前記ライン時間を、前記1つまたは複数のコモンラインに沿った前記ディスプレイ要素に前記現在の画像データを書き込むためのセグメントライン遷移の特性に基づいて決定するように構成される、請求項1に記載の装置。
【請求項１２】
前記コントローラが、前記アレイの前記1つまたは複数のコモンラインに沿ったディスプレイ要素に現在の画像データを書き込むための前記ライン時間を、前記1つまたは複数のコモンラインに沿った前記ディスプレイ要素の前記書込み作動状態に基づいて、かつ、前記1つまたは複数のコモンラインに沿った前記ディスプレイ要素に前記現在の画像データを書き込むためのセグメントライン遷移の特性に基づいて決定するように構成される、請求項1に記載の装置。
【請求項１３】
ディスプレイ要素のアレイに接続された複数のコモンラインと複数のセグメントラインとを含むディスプレイを駆動するための方法であって、
1つまたは複数のコモンラインのための画像データを含む、画像データを受信するステップと、
1つまたは複数のコモンラインに前記画像データを書き込むためのライン時間を、
1つまたは複数のコモンラインに沿ったディスプレイ要素の書込み作動状態と、
前記1つまたは複数のコモンラインに沿った前記ディスプレイ要素に前記画像データを書き込むことにおける、少なくとも一部のセグメントライン遷移の特性と
のうちの一方または両方に少なくとも部分的に基づいて決定するステップと、
書込みパルス持続時間を決定するために、前記画像データが前記1つまたは複数のコモンラインに書き込まれるときに作動位置へ遷移されることになるディスプレイ要素の数を決定するために、前記1つまたは複数のコモンラインに対応する前記画像データを解析するステップと、
前記決定されたライン時間で、前記1つまたは複数のコモンラインに沿ったディスプレイ要素に前記画像データを書き込むステップと
を含み、
前記1つまたは複数のコモンラインに沿った前記ディスプレイ要素は、最初に、クリアリングパルスを使用して非作動状態へ遷移される方法。
【請求項１４】
前に受信された画像データを記憶するステップと、前記受信された画像データを、前記前に受信された画像データと比較して、前記ライン時間を少なくとも部分的に決定するステップとをさらに含む、請求項13に記載の方法。
【請求項１５】
ディスプレイ要素の直後のラインに対応する画像データを記憶するステップと、前記受信された画像データを、前記ディスプレイ要素の直後のラインに対応する前記画像データと比較して、前記ライン時間を決定するステップとをさらに含む、請求項13に記載の方法。
【請求項１６】
前記ライン時間を、前記コモンラインに印加される波形の極性に少なくとも部分的に基づいて決定するステップを含む、請求項13に記載の方法。
【請求項１７】
前記ライン時間が、フロントポーチ持続時間と、バックポーチ持続時間と、前記書込みパルス持続時間とを含み、ライン時間を決定するステップが、
前記フロントポーチ持続時間および前記バックポーチ持続時間のうちの少なくとも1つを、前記画像データを1つまたは複数のコモンラインに書き込むときに引き起こされるセグメントライン遷移の特性に少なくとも部分的に基づいて決定するステップ、または
前記書込みパルス持続時間を、前記受信された画像データを書き込むときに非作動状態から作動状態へ遷移されるべきである、コモンラインに沿ったディスプレイ要素の数に基づいて決定するステップ
を含む、請求項13に記載の方法。
【請求項１８】
前記ライン時間を決定するステップが、前記アレイの前記1つまたは複数のコモンラインに沿ったディスプレイ要素に現在の画像データを書き込むための前記ライン時間を、前記1つまたは複数のコモンラインに沿った前記ディスプレイ要素の前記書込み作動状態に基づいて決定するステップを含む、請求項13に記載の方法。
【請求項１９】
前記ライン時間を決定するステップが、前記アレイの前記1つまたは複数のコモンラインに沿ったディスプレイ要素に現在の画像データを書き込むための前記ライン時間を、前記1つまたは複数のコモンラインに沿った前記ディスプレイ要素に前記現在の画像データを書き込むためのセグメントライン遷移の特性に基づいて決定するステップを含む、請求項13に記載の方法。
【請求項２０】
前記ライン時間を決定するステップが、前記アレイの前記1つまたは複数のコモンラインに沿ったディスプレイ要素に現在の画像データを書き込むための前記ライン時間を、前記1つまたは複数のコモンラインに沿った前記ディスプレイ要素の前記書込み作動状態に基づいて、かつ、前記1つまたは複数のコモンラインに沿った前記ディスプレイ要素に前記現在の画像データを書き込むためのセグメントライン遷移の特性に基づいて決定するステップを含む、請求項13に記載の方法。
【請求項２１】
ディスプレイ要素のアレイに接続された複数のコモンラインと複数のセグメントラインとを含むディスプレイを駆動するための装置であって、
1つまたは複数のコモンラインのための画像データを含む、画像データを受信するための手段と、
1つまたは複数のコモンラインに前記画像データを書き込むためのライン時間を、
1つまたは複数のコモンラインに沿ったディスプレイ要素の書込み作動状態と、
前記1つまたは複数のコモンラインに沿った前記ディスプレイ要素に前記画像データを書き込むことにおける、少なくとも一部のセグメントライン遷移の特性と
のうちの一方または両方に少なくとも部分的に基づいて決定するための手段と、
書込みパルス持続時間を決定するために、前記画像データが前記1つまたは複数のコモンラインに書き込まれるときに作動位置へ遷移されることになるディスプレイ要素の数を決定するために、前記1つまたは複数のコモンラインに対応する前記画像データを解析するための手段と、
前記決定されたライン時間で、1つまたは複数のコモンラインに沿ったディスプレイ要素に前記画像データを書き込むための手段と
を備え、
前記1つまたは複数のコモンラインに沿った前記ディスプレイ要素は、最初に、クリアリングパルスを使用して非作動状態へ遷移される装置。
【請求項２２】
前記画像データを受信するための手段が、プロセッサを含み、前記ライン時間を決定するための手段が、ドライバコントローラを含み、前記画像データを書き込むための前記手段が、セグメントドライバとコモンドライバとを含むアレイドライバを含む、請求項21に記載の装置。
【請求項２３】
前に受信された画像データを記憶するための手段をさらに備え、前記ライン時間を決定するための手段が、前記受信された画像データを、前記前に受信された画像データと比較して、前記ライン時間を決定するための手段を含む、請求項21に記載の装置。
【請求項２４】
ディスプレイ要素の直後のラインに対応する画像データを記憶するための手段と、前記受信された画像データを、前記ディスプレイ要素の直後のラインに対応する前記画像データと比較して、前記ライン時間を決定するための手段とをさらに備える、請求項21に記載の装置。
【請求項２５】
前記ライン時間が、フロントポーチ持続時間と、バックポーチ持続時間と、前記書込みパルス持続時間とを含み、前記ライン時間を決定するための手段が、
前記フロントポーチ持続時間および前記バックポーチ持続時間のうちの少なくとも1つを、前記画像データを1つまたは複数のコモンラインに書き込むときに引き起こされるセグメントライン遷移の特性に少なくとも部分的に基づいて決定するための手段、または
前記書込みパルス持続時間を、前記受信された画像データを書き込むときに非作動状態から作動状態へ遷移されるべきである、1つまたは複数のコモンラインに沿ったディスプレイ要素の数に基づいて決定するための手段
を含む、請求項21に記載の装置。
【請求項２６】
ディスプレイ要素のアレイに接続された複数のコモンラインと複数のセグメントラインとを含むディスプレイを駆動するように構成されたプログラムのためのデータを処理するためのコンピュータプログラムであって、
処理回路に、
1つまたは複数のコモンラインのための画像データを含む、画像データを受信すること、
前記1つまたは複数のコモンラインのためのライン時間を、1つまたは複数のコモンラインに沿ったディスプレイ要素の書込み作動状態と、前記1つまたは複数のコモンラインに沿った前記ディスプレイ要素に前記画像データを書き込むことにおける、少なくとも一部のセグメントライン遷移の特性とのうちの、一方または両方に少なくとも部分的に基づいて決定すること、
書込みパルス持続時間を決定するために、前記画像データが前記1つまたは複数のコモンラインに書き込まれるときに作動位置へ遷移されることになるディスプレイ要素の数を決定するために、前記1つまたは複数のコモンラインに対応する前記画像データを解析すること、および
前記決定されたライン時間で、1つまたは複数のコモンラインに沿ったディスプレイ要素に前記画像データを書き込むこと
を行わせるためのコードを記憶した非一時的コンピュータ可読媒体を備え、
前記1つまたは複数のコモンラインに沿った前記ディスプレイ要素は、最初に、クリアリングパルスを使用して非作動状態へ遷移されるコンピュータプログラム。
【請求項２７】
前に受信された画像データを記憶することを、処理回路に行わせるためのコードと、前記受信された画像データを、前記前に受信された画像データと比較して、前記ライン時間を少なくとも部分的に決定することを、処理回路に行わせるためのコードとをさらに備える、請求項26に記載のコンピュータプログラム。
【請求項２８】
ディスプレイ要素の直後のラインに対応する画像データを記憶することを、処理回路に行わせるためのコードと、前記受信された画像データを、前記ディスプレイ要素の直後のラインに対応する前記画像データと比較して、前記ライン時間を少なくとも部分的に決定することを、処理回路に行わせるためのコードとをさらに備える、請求項26に記載のコンピュータプログラム。
【請求項２９】
前記ライン時間を、前記コモンラインに印加される波形の極性に基づいて少なくとも部分的に決定することを、処理回路に行わせるためのコードをさらに備える、請求項26に記載のコンピュータプログラム。
【請求項３０】
前記ライン時間が、フロントポーチ持続時間と、バックポーチ持続時間と、前記書込みパルス持続時間とを含み、前記コンピュータプログラムが、
前記フロントポーチ持続時間および前記バックポーチ持続時間のうちの少なくとも1つを、前記画像データを1つまたは複数のコモンラインに書き込むときに引き起こされる少なくとも一部のセグメントライン遷移の特性に少なくとも部分的に基づいて決定すること、または
前記書込みパルス持続時間を、前記受信された画像データを書き込むときに非作動状態から作動状態へ遷移されるべきである、コモンラインに沿ったディスプレイ要素の数に少なくとも部分的に基づいて決定すること
を処理回路に行わせるためのコードをさらに備える、請求項26に記載のコンピュータプログラム。
【国際調査報告】
2014531057.tif 000028
2014531057.tif 000029
2014531057.tif 000030
2014531057.tif 000031
2014531057.tif 000032